(57)【要約】【課題】リンク方向コンフィギュレーションが短い周期で更新される状況において、より少ない処理の負荷で、リンク方向の衝突に起因するスループットの低下を防ぐ仕組みを提供すること。【解決手段】無線通信ネットワーク内で時分割複信（ＴＤＤ）方式に従って端末装置により行われる無線通信を制御する通信制御装置であって、複数のサブフレームを含むフレームの各々について、前記無線通信のためにサブフレーム単位のリンク方向を表すリンク方向コンフィギュレーションを設定する設定部、を備え、前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、通信制御装置を提供する。【選択図】図１２
2014069105.tif 000002
【特許請求の範囲】
【請求項１】
無線通信ネットワーク内で時分割複信（ＴＤＤ）方式に従って端末装置により行われる無線通信を制御する通信制御装置であって、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御装置。
【請求項２】
前記通信制御装置は、
前記設定部により設定される前記リンク方向コンフィギュレーションと前記タイミングとを前記端末装置へシグナリングするシグナリング部、
をさらに備える、請求項１に記載の通信制御装置。
【請求項３】
前記設定部は、複数のコンフィギュレーション候補から選択される前記リンク方向コンフィギュレーションを前記無線通信のために設定し、
前記シグナリング部は、前記複数のコンフィギュレーション候補のうちの１つを指定することにより、前記タイミングをシグナリングする、
請求項２に記載の通信制御装置。
【請求項４】
前記第１のリンク方向はダウンリンクであり、前記第２のリンク方向はアップリンクであり、
前記制御シグナリングは、ダウンリンク送信への応答として前記端末装置から送信されるＡＣＫ／ＮＡＣＫである、
請求項３に記載の通信制御装置。
【請求項５】
前記第１のリンク方向はアップリンクであり、前記第２のリンク方向はダウンリンクであり、
前記制御シグナリングは、アップリンク送信に先立って前記端末装置へ送信されるアップリンク許可である、
請求項３に記載の通信制御装置。
【請求項６】
前記シグナリング部は、前記複数のコンフィギュレーション候補のうちダウンリンク比率のより高い候補を指定する、請求項４に記載の通信制御装置。
【請求項７】
前記シグナリング部は、前記複数のコンフィギュレーション候補のうちアップリンク比率のより高い候補を指定する、請求項５に記載の通信制御装置。
【請求項８】
前記通信制御装置は、コンフィギュレーション候補ごとに前記データ送信のタイミングと前記制御シグナリングのタイミングとを関連付けるテーブルを記憶する記憶部、をさらに備え、
前記データ送信のタイミング及び前記制御シグナリングのタイミングの一方は、前記テーブル内の指定されたコンフィギュレーション候補についてのエントリを参照することにより、他方のタイミングに基づいて決定される、
請求項６に記載の通信制御装置。
【請求項９】
前記設定部は、前記無線通信ネットワーク内のアップリンクトラフィックとダウンリンクトラフィックとの間の比率に応じて、設定すべき前記リンク方向コンフィギュレーションを前記複数のコンフィギュレーション候補から選択する、請求項３に記載の通信制御装置。
【請求項１０】
前記複数のコンフィギュレーション候補は、前記無線通信ネットワークに固有であり、
前記シグナリング部は、前記端末装置の前記無線通信ネットワークへの接続の際に、前記タイミングを前記端末装置へシグナリングする、
請求項３に記載の通信制御装置。
【請求項１１】
前記設定部は、第１の端末グループのために前記リンク方向コンフィギュレーションを設定し、第２の端末グループのために別のリンク方向コンフィギュレーションを設定し、
前記シグナリング部は、前記第２の端末グループに属する端末装置へのシグナリング周期よりも短い周期で、前記第１の端末グループに属する端末装置へ前記リンク方向コンフィギュレーションをシグナリングする、
請求項２に記載の通信制御装置。
【請求項１２】
前記通信制御装置は、基地局である、請求項１に記載の通信制御装置。
【請求項１３】
前記通信制御装置は、基地局を介して前記端末装置と通信する制御ノードである、請求項１に記載の通信制御装置。
【請求項１４】
無線通信ネットワーク内で時分割複信（ＴＤＤ）方式に従って端末装置により行われる無線通信を制御する通信制御方法であって、
複数のサブフレームを含むフレームの各々について、前記無線通信のためにサブフレーム単位のリンク方向を表すリンク方向コンフィギュレーションを設定することと、
設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定することと、
を含む通信制御方法。
【請求項１５】
無線通信ネットワーク内で時分割複信（ＴＤＤ）方式に従って端末装置により行われる無線通信を制御する通信制御装置のコンピュータを、
複数のサブフレームを含むフレームの各々について、前記無線通信のためにサブフレーム単位のリンク方向を表すリンク方向コンフィギュレーションを設定する設定部として機能させるプログラムであって、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
プログラム。
【請求項１６】
時分割複信（ＴＤＤ）方式で基地局と通信する無線通信部と、
前記基地局からの第１のシグナリングにより示されるリンク方向コンフィギュレーションに従い、複数のサブフレームを含むフレームの各々について、サブフレーム単位のリンク方向を設定する制御部と、
を備え、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
端末装置。
【請求項１７】
時分割複信（ＴＤＤ）方式で基地局と通信する無線通信部を備える端末装置により実行される無線通信方法であって、
前記基地局からの第１のシグナリングにより示されるリンク方向コンフィギュレーションに従い、複数のサブフレームを含むフレームの各々について、サブフレーム単位のリンク方向を設定することと、
第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定することと、
を含む無線通信方法。
【請求項１８】
時分割複信（ＴＤＤ）方式で基地局と通信する無線通信部を備える端末装置のコンピュータを、
前記基地局からの第１のシグナリングにより示されるリンク方向コンフィギュレーションに従い、複数のサブフレームを含むフレームの各々について、サブフレーム単位のリンク方向を設定する制御部、
として機能させるプログラムであって、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
プログラム。
【請求項１９】
時分割複信（ＴＤＤ）方式で基地局と通信する端末装置と、前記端末装置により行われる無線通信を制御する通信制御装置と、を含む通信制御システムであって、
前記通信制御装置は、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御システム。
【発明の詳細な説明】
【技術分野】
【０００１】
本開示は、通信制御装置、通信制御方法、端末装置、プログラム及び通信制御システムに関する。
【背景技術】
【０００２】
近年、ＬＴＥ（Long  Term  Evolution）方式と呼ばれる高速なセルラ無線通信方式が実用化されている。ＬＴＥ方式は、複信方式の違いに基づいて、ＦＤ−ＬＴＥ方式及びＴＤ−ＬＴＥ方式に分類される。ＦＤ−ＬＴＥ方式は複信方式として周波数分割複信（ＦＤＤ；Frequency  Division  Duplex）を採用し、アップリンク及びダウンリンクが互いに異なる周波数帯上で運用される。ＴＤ−ＬＴＥ方式は複信方式として時分割複信（ＴＤＤ；Time  Division  Duplex）を採用し、アップリンク及びダウンリンクが同じ周波数帯上で運用される。ＦＤ−ＬＴＥ方式及びＴＤ−ＬＴＥ方式の双方とも、それぞれ１ｍｓｅｃの時間長を有する１０個のサブフレームから（１０ｍｓｅｃの時間長を有する）１つの無線フレームが構成されるというフレームフォーマットを用いる。ＦＤ−ＬＴＥ方式では、同じ周波数帯においてリンク方向が時間的に変化しないのに対し、ＴＤ−ＬＴＥ方式では、サブフレーム単位でリンク方向が変化し得る。【０００３】
ＴＤ−ＬＴＥ方式において、各無線フレームについてのサブフレーム単位のリンク方向のセット（即ち、１０個のサブフレームのリンク方向の組合せ）を、リンク方向コンフィギュレーション（あるいはＵＬ−ＤＬコンフィギュレーション）という。非特許文献１によれば、Ｃｏｎｆｉｇｕｒａｔｉｏｎ０からＣｏｎｆｉｇｕｒａｔｉｏｎ６までの７種類のリンク方向コンフィギュレーションが定義されている。無線基地局（ＬＴＥ方式におけるｅＮＢ）は、各無線フレームに設定されるリンク方向コンフィギュレーションを、ＳＩＢ１（System  Information  Block  Type  1）の中でブロードキャストすることにより、端末装置（ＬＴＥ方式におけるＵＥ）へシグナリングする。現在の標準仕様では、ＳＩＢ１を用いて行われるリンク方向コンフィギュレーションの更新の周期は、６４０ｍｓｅｃである。非特許文献２は、この周期を３２０ｍｓｅｃに短縮することを提案している。【０００４】
リンク方向コンフィギュレーションが短い周期で更新される場合、非特許文献３に記載されたような、更新前及び更新後の２つのリンク方向コンフィギュレーションの間のリンク方向の衝突が頻繁に発生することが問題となる。リンク方向の衝突は、衝突の発生するタイミングでのデータ送信又は制御シグナリングのロスをもたらし、通信のスループットを低下させる。非特許文献３は、リンク方向の衝突がスループットの低下を招来し得る２つのケースとして、ダウンリンク送信に対する確認応答（ＡＣＫ：Acknowledgement）及び否定応答（ＮＡＣＫ：Negative  Acknowledgement）のケース、並びにアップリンク送信に先立つアップリンク許可（ＵＬ  grant）のケースを説明している。この問題の解決策として、非特許文献３は、リンク方向の衝突が発生すると判定される場合に、ＡＣＫ／ＮＡＣＫ又はアップリンク許可のタイミングを動的に変更する手法を提案している。
【先行技術文献】
【非特許文献】
【０００５】
【非特許文献１】“3GPP  TS  36.211  V10.0.0  (2010-12)”,  December  22，  2010
【非特許文献２】“Semi-static  reconfiguration  of  TDD  UL-DL  configuration”,  R1-122266,  3GPP  TSG  RAN  WG1  Meeting  #69，  Prague，  Czech  Republic，  May  21-25，  2012
【非特許文献３】“Discussion  on  HARQ  and  UL-grant  timing  with  dynamic  TDD  UL-DL  configuration”,  R1-121260,  3GPP  TSG  RAN  WG1  Meeting  #68bis，  Jeju,  Korea,  March  26-30，  2012
【発明の概要】
【発明が解決しようとする課題】
【０００６】
しかしながら、非特許文献３により提案されている手法によれば、リンク方向コンフィギュレーションが更新される度に、リンク方向の衝突の判定と制御シグナリングのタイミングの変更とが実行されることになる。リンク方向コンフィギュレーションが短い周期で更新されることを前提とすれば、こうした解決策は、端末装置及び基地局における処理の負荷を著しく増大させる。【０００７】
従って、リンク方向コンフィギュレーションが短い周期で更新される状況において、より少ない処理の負荷で、リンク方向の衝突に起因するスループットの低下を防ぐことのできる、改善された仕組みが提供されることが望ましい。
【課題を解決するための手段】
【０００８】
本開示によれば、無線通信ネットワーク内で時分割複信（ＴＤＤ）方式に従って端末装置により行われる無線通信を制御する通信制御装置であって、複数のサブフレームを含むフレームの各々について、前記無線通信のためにサブフレーム単位のリンク方向を表すリンク方向コンフィギュレーションを設定する設定部、を備え、前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、通信制御装置が提供される。【０００９】
また、本開示によれば、無線通信ネットワーク内で時分割複信（ＴＤＤ）方式に従って端末装置により行われる無線通信を制御する通信制御方法であって、複数のサブフレームを含むフレームの各々について、前記無線通信のためにサブフレーム単位のリンク方向を表すリンク方向コンフィギュレーションを設定することと、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定することと、を含む通信制御方法が提供される。【００１０】
また、本開示によれば、無線通信ネットワーク内で時分割複信（ＴＤＤ）方式に従って端末装置により行われる無線通信を制御する通信制御装置のコンピュータを、複数のサブフレームを含むフレームの各々について、前記無線通信のためにサブフレーム単位のリンク方向を表すリンク方向コンフィギュレーションを設定する設定部として機能させるプログラムであって、前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、プログラムが提供される。【００１１】
また、本開示によれば、時分割複信（ＴＤＤ）方式で基地局と通信する無線通信部と、前記基地局からの第１のシグナリングにより示されるリンク方向コンフィギュレーションに従い、複数のサブフレームを含むフレームの各々について、サブフレーム単位のリンク方向を設定する制御部と、を備え、前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、端末装置が提供される。【００１２】
また、本開示によれば、時分割複信（ＴＤＤ）方式で基地局と通信する無線通信部を備える端末装置により実行される無線通信方法であって、前記基地局からの第１のシグナリングにより示されるリンク方向コンフィギュレーションに従い、複数のサブフレームを含むフレームの各々について、サブフレーム単位のリンク方向を設定することと、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定することと、を含む無線通信方法が提供される。【００１３】
また、本開示によれば、時分割複信（ＴＤＤ）方式で基地局と通信する無線通信部を備える端末装置のコンピュータを、前記基地局からの第１のシグナリングにより示されるリンク方向コンフィギュレーションに従い、複数のサブフレームを含むフレームの各々について、サブフレーム単位のリンク方向を設定する制御部、として機能させるプログラムであって、前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、プログラムが提供される。【００１４】
また、本開示によれば、時分割複信（ＴＤＤ）方式で基地局と通信する端末装置と、前記端末装置により行われる無線通信を制御する通信制御装置と、を含む通信制御システムであって、前記通信制御装置は、複数のサブフレームを含むフレームの各々について、前記無線通信のためにサブフレーム単位のリンク方向を表すリンク方向コンフィギュレーションを設定する設定部、を備え、前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、通信制御システムが提供される。
【発明の効果】
【００１５】
本開示に係る技術によれば、リンク方向コンフィギュレーションが短い周期で更新される状況において、より少ない処理の負荷で、リンク方向の衝突に起因するスループットの低下を防ぐことができる。
【図面の簡単な説明】
【００１６】
【図１】ＴＤ−ＬＴＥにおけるリンク方向コンフィギュレーションの一例について説明するための説明図である。
【図２】ＴＤ−ＬＴＥにおいて設定可能なリンク方向コンフィギュレーションの一覧を示す説明図である。
【図３Ａ】バッファステータスに応じたリンク方向コンフィギュレーションの設定について説明するための第１の説明図である。
【図３Ｂ】バッファステータスに応じたリンク方向コンフィギュレーションの設定について説明するための第２の説明図である。
【図４】新たなメッセージを用いたリンク方向コンフィギュレーションのシグナリングについて説明するための説明図である。
【図５】リンク方向の衝突に起因してスループットが低下し得る第１のケースについて説明するための説明図である。
【図６】リンク方向の衝突に起因してスループットが低下し得る第２のケースについて説明するための説明図である。
【図７Ａ】ＣＲＳ（Cell-specific  Reference  Symbol）を含むサブフレームの第１の例を示す説明図である。
【図７Ｂ】ＣＲＳを含むサブフレームの第２の例を示す説明図である。
【図８】一実施形態に係る通信制御システムの構成の一例を示す説明図である。
【図９Ａ】新たなシグナリングの第１の例について説明するための説明図である。
【図９Ｂ】新たなシグナリングの第２の例について説明するための説明図である。
【図９Ｃ】新たなシグナリングの第３の例について説明するための説明図である。
【図１０Ａ】ＡＣＫ／ＮＡＣＫの新たな送信タイミングの第１の例について説明するための説明図である。
【図１０Ｂ】ＡＣＫ／ＮＡＣＫの新たな送信タイミングの第２の例について説明するための説明図である。
【図１１Ａ】ＵＬ許可の新たな送信タイミングの第１の例について説明するための説明図である。
【図１１Ｂ】ＵＬ許可の新たな送信タイミングの第２の例について説明するための説明図である。
【図１２】一実施形態に係る通信制御装置の構成の一例を示すブロック図である。
【図１３】一実施形態に係るダイナミックＴＤＤ端末の構成の一例を示すブロック図である。
【図１４Ａ】一実施形態において実行され得る処理の流れの一例を示すシーケンス図の前半部である。
【図１４Ｂ】一実施形態において実行され得る処理の流れの一例を示すシーケンス図の後半部である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、以下の順序で説明を行う。
１．概要
１−１．リンク方向コンフィギュレーションの設定
１−２．リンク方向コンフィギュレーションのシグナリング
１−３．リンク方向の衝突
１−４．追加的な課題
２．通信制御システムの構成
２−１．システムの概要
２−２．基本的な原理
２−３．通信制御装置の構成例
２−４．ダイナミックＴＤＤ端末の構成例
３．処理の流れの例
４．まとめ
【００１９】
＜１．概要＞
［１−１．リンク方向コンフィギュレーションの設定］
図１は、ＴＤ−ＬＴＥにおけるリンク方向コンフィギュレーションの一例について説明するための説明図である。図１を参照すると、ＬＴＥ方式において採用される無線フレームのフレームフォーマットが示されている。１つの無線フレーム（radio  frame）は、１０個のサブフレーム（＃０〜＃９）を含む。各サブフレームの時間長は１ｍｓｅｃであり、１つの無線フレームの時間長は１０ｍｓｅｃである。リンク方向は、サブフレーム単位で設定される。図１の例において、「Ｄ」とラベリングされたサブフレームのリンク方向はダウンリンクであり、当該サブフレームをダウンリンクサブフレームという。「Ｕ」とラベリングされたサブフレームのリンク方向はアップリンクであり、当該サブフレームをアップリンクサブフレームという。「Ｓ」とラベリングされたサブフレームは、ＴＤ−ＬＴＥに特有のスペシャルサブフレームである。図１に例示したように、基地局（ｅＮＢ）から送信されるダウンリンク信号は、遅延ｄＴと共に端末装置（ＵＥ）へ到達する。端末装置は、基地局へ到達するアップリンク信号の遅延ｄＴを考慮に入れて、基地局のアップリンクサブフレームのタイミングよりも先行してアップリンク信号を送信する。スペシャルサブフレームは、ダウンリンクサブフレームからアップリンクサブフレームへの切替えのタイミングで挿入され、端末装置でのダウンリンク信号の受信及びアップリンク信号の送信のタイミングが重ならないようにする緩衝期間としての役割を有する。スペシャルサブフレームは、ＵＥによりダウンリンク信号が受信されるダウンリンクパイロットタイムスロットと、ガード期間（Guard  Period）と、ＵＥによりアップリンク信号が送信されるアップリンクパイロットタイムスロットとを含む。なお、スペシャルサブフレームにおいても基地局から端末装置へダウンリンクデータは送信され得る。その意味において、スペシャルサブフレームはダウンリンクサブフレームの一種であると見なすこともできる。
【００２０】
図２は、非特許文献１において定義されている、ＴＤ−ＬＴＥにおいて設定可能な７種類のリンク方向コンフィギュレーションの一覧を示している。図２から理解されるように、０番目のサブフレーム（＃０）及び５番目のサブフレーム（＃５）は、いずれのコンフィギュレーションにおいてもダウンリンクサブフレームに設定される。１番目のサブフレーム（＃１）は、いずれのコンフィギュレーションにおいてもスペシャルサブフレームに設定される。２番目のサブフレーム（＃２）は、いずれのコンフィギュレーションにおいてもアップリンクサブフレームに設定される。残りのサブフレームの設定は、コンフィギュレーションごとに異なる。
【００２１】
図２の右端には、アップリンクサブフレームの数とダウンリンクサブフレームの数との構成比（ＵＬ−ＤＬ構成比）が示されている。Ｃｏｎｆｉｇｕｒａｔｉｏｎ０において、アップリンクサブフレームの数は６個、ダウンリンクサブフレームの数は２個であり、ＵＬ−ＤＬ構成比は６：２である。Ｃｏｎｆｉｇｕｒａｔｉｏｎ１において、アップリンクサブフレームの数は４個、ダウンリンクサブフレームの数は４個であり、ＵＬ−ＤＬ構成比は４：４である。Ｃｏｎｆｉｇｕｒａｔｉｏｎ２において、アップリンクサブフレームの数は２個、ダウンリンクサブフレームの数は６個であり、ＵＬ−ＤＬ構成比は２：６である。Ｃｏｎｆｉｇｕｒａｔｉｏｎ３において、アップリンクサブフレームの数は３個、ダウンリンクサブフレームの数は６個であり、ＵＬ−ＤＬ構成比は３：６である。Ｃｏｎｆｉｇｕｒａｔｉｏｎ４において、アップリンクサブフレームの数は２個、ダウンリンクサブフレームの数は７個であり、ＵＬ−ＤＬ構成比は２：７である。Ｃｏｎｆｉｇｕｒａｔｉｏｎ５において、アップリンクサブフレームの数は１個、ダウンリンクサブフレームの数は８個であり、ＵＬ−ＤＬ構成比は１：８である。Ｃｏｎｆｉｇｕｒａｔｉｏｎ６において、アップリンクサブフレームの数は５個、ダウンリンクサブフレームの数は３個であり、ＵＬ−ＤＬ構成比は５：３である。
【００２２】
ＴＤ−ＬＴＥ方式に従って動作する無線通信システムは、７種類のリンク方向コンフィギュレーションのうちのいずれを用いるべきかを、ＵＬ−ＤＬトラフィック比に基づいて決定し得る。一般的に、アップリンク信号は、送信が許可される前に、端末装置のアップリンクバッファによりバッファリングされる。一方、ダウンリンク信号は、送信がスケジューリングされる前に、コアネットワーク内のＰ−ＧＷ（PDN  Gateway）によりバッファリングされる。バッファ待機中のトラフィック量がバッファ容量を超えると、バッファオーバフローが発生する。また、所定の期間を超えてバッファリングされたトラフィックは、タイムアウトとして破棄され得る。そこで、端末装置は、バッファ待機中のアップリンクトラフィック量を示すバッファステータスレポートを、周期的に基地局へ送信する。Ｐ−ＧＷは、バッファ待機中のダウンリンクトラフィック量を示すバッファシグナリングを提供する。それにより、基地局又はその他の制御ノード内のスケジューラが、各セルについてのＵＬ−ＤＬトラフィック比を算出することができる。例えば、図３Ａの例では、バッファ待機中のダウンリンクトラフィックよりも、バッファ待機中のアップリンクトラフィックの方が多い。この場合、アップリンク率の高いリンク方向コンフィギュレーションを設定することにより、バッファ待機中のアップリンクトラフィックを減少させることができる。一方、図３Ｂの例では、バッファ待機中のアップリンクトラフィックよりも、バッファ待機中のダウンリンクトラフィックの方が多い。この場合、ダウンリンク率の高いリンク方向コンフィギュレーションを設定することにより、バッファ待機中のダウンリンクトラフィックを減少させることができる。
【００２３】
［１−２．リンク方向コンフィギュレーションのシグナリング］
基地局又はその他の制御ノードにより設定されたリンク方向コンフィギュレーションは、基地局から端末装置へのＳＩＢ１を用いたブロードキャストによってシグナリングされる。現在の標準仕様におけるＳＩＢ１の更新の周期は、６４０ｍｓｅｃである。上記非特許文献２によれば、ＳＩＢ１を用いたリンク方向コンフィギュレーションの更新の周期は、３２０ｍｓｅｃに短縮され得る。ＳＩＢ１は、ＤＬ−ＳＣＨ（Downlink  Shared  Channel）にマッピングされる様々なタイプのＳＩＢ（System  Information  Block）のうちの１つである。ＳＩＢを搬送するメッセージを、ＳＩ（System  Information）メッセージという。ＳＩメッセージの最短の送信周期は、８０ｍｓｅｃである。従って、ＳＩメッセージでリンク方向コンフィギュレーションがシグナリングされる限り、リンク方向コンフィギュレーションの更新周期は最短で８０ｍｓｅｃである。
【００２４】
近年、無線通信のトラフィックは飛躍的に増加している。ＵＬ−ＤＬトラフィック比は、頻繁に変動する。従って、既存の手法におけるリンク方向コンフィギュレーションのシグナリング周期は、ＵＬ−ＤＬトラフィック比の変動に追随するために十分とは言えない。リンク方向コンフィギュレーションの更新がＵＬ−ＤＬトラフィック比の変動に追いつかなければ、バッファ待機中のトラフィック量が増加し、リソース効率の低下及びスループットの低下が引き起こされる。シグナリングオーバヘッドを考慮しないとすると、１つの無線フレームの時間長が１０ｍｓｅｃであることから、リンク方向コンフィギュレーションの理想的な更新の周期は、１０ｍｓｅｃである。但し、リンク方向コンフィギュレーションのシグナリングの仕組みを既存の手法から全く変更すれば、既存の端末装置がリンク方向コンフィギュレーションを取得できず動作不能に陥ってしまう。
【００２５】
そこで、一実施形態において、既存の手法よりも短い周期でリンク方向コンフィギュレーションを端末装置へシグナリングするための、ＳＩメッセージとは異なる新たなメッセージが導入される。導入される当該新たなメッセージを、本明細書では、ダイナミックコンフィギュレーション（ＤＣ）メッセージという。また、リンク方向コンフィギュレーションの設定のためにＳＩメッセージのみを受信する端末装置を、レガシー端末（レガシーＵＥ）という。これに対し、ＤＣメッセージを受信する端末装置を、ダイナミックＴＤＤ端末（ダイナミックＴＤＤ  ＵＥ）という。
【００２６】
図４は、ＤＣメッセージを用いたリンク方向コンフィギュレーションのシグナリングについて説明するための説明図である。
【００２７】
図４の上段には、レガシー端末が周期Ｃ１でＳＩＢ１を搬送するＳＩメッセージを周期的に受信する様子が示されている。ＳＩＢ１は、その時点でレガシー端末のために設定されているリンク方向コンフィギュレーションの識別子（図２に例示したコンフィギュレーション番号０〜６のいずれか）を含む。このリンク方向コンフィギュレーションに従って、レガシー端末は、自らの無線通信回路のリンク方向をサブフレーム単位で設定する。ＳＩメッセージのシグナリング周期Ｃ１は、例えば、３２０ｍｓｅｃである。ここで、仮にＳＩメッセージの受信から２０ｍｓｅｃ後の時点でＵＬ−ＤＬトラフィック比が大きく変動したとすると、次のＳＩメッセージの受信までの３００ｍｓｅｃの期間にわたって、設定されているリンク方向コンフィギュレーションとＵＬ−ＤＬトラフィック比との間のミスマッチが継続する。
【００２８】
図４の下段には、ダイナミックＴＤＤ端末が周期Ｃ２（＜Ｃ１）でＤＣメッセージを周期的に受信する様子が示されている。ＤＣメッセージは、その時点でダイナミックＴＤＤ端末のために設定されているリンク方向コンフィギュレーションの識別子（図２に例示したコンフィギュレーション番号０〜６のいずれか）を含む。このリンク方向コンフィギュレーションに従って、ダイナミックＴＤＤ端末は、自らの無線通信回路のリンク方向をサブフレーム単位で設定する。ＤＣメッセージのシグナリング周期Ｃ２は、１０ｍｓｅｃの整数倍であってよい。例えば、シグナリング周期Ｃ２＝４０ｍｓｅｃであれば、リンク方向コンフィギュレーションとＵＬ−ＤＬトラフィック比との間のミスマッチが継続する期間は、最悪のケースでも４０ｍｓｅｃである。
【００２９】
一実施形態において、基地局は、ＳＩメッセージを用いてレガシー端末へ第１のリンク方向コンフィギュレーションをシグナリングし、ＤＣメッセージを用いてダイナミックＴＤＤ端末へ第２のリンク方向コンフィギュレーションをシグナリングする。本明細書において、周期Ｃ１で更新され得る第１のリンク方向コンフィギュレーションを、レガシー用コンフィギュレーションという。また、第２のリンク方向コンフィギュレーションを、ダイナミックＴＤＤ用コンフィギュレーションという。基地局は、これら２つのコンフィギュレーションをシグナリングするものの、実際には、後に説明するようにダイナミックＴＤＤ用コンフィギュレーションに従って動作する。なお、基地局は、ダイナミックＴＤＤ端末の新規接続又はアクティブモードへの復帰などの所定のイベントが発生した際に、ＤＣメッセージを、そのシグナリング周期の経過を待つことなく送信してもよい。
【００３０】
他の実施形態において、ＳＩメッセージを用いたレガシー端末へのシグナリングは、省略されてもよい。本開示に係る技術は、互換性が保証されるべきレガシー端末の存在しないシステムであって、短い周期で更新され得るダイナミックＴＤＤ用コンフィギュレーションのみがシグナリングされるシステムにも適用可能である。
【００３１】
［１−３．リンク方向の衝突］
短い周期でダイナミックＴＤＤ用コンフィギュレーションを更新する場合、更新前及び更新後の２つのコンフィギュレーションの間で、リンク方向の衝突が頻繁に発生し得る。ここでは、リンク方向の衝突とは、更新前の無線フレームのｉ番目（ｉ＝０，…，９）のサブフレームのリンク方向と、更新後の無線フレームのｉ番目のサブフレームのリンク方向とが互いに異なることをいう。リンク方向の衝突は、衝突の発生するタイミングでのデータ送信又は制御シグナリングのロスをもたらし、通信のスループットを低下させる。以下、非特許文献３において説明されている２つのケースについて説明する。
【００３２】
（１）ダウンリンク送信に対するＡＣＫ／ＮＡＣＫ
確認応答（ＡＣＫ）及び否定応答（ＮＡＣＫ）は、データ送信の信頼性を確保するための仕組みであるＨＡＲＱ（ハイブリッド自動再送要求：Hybrid  Automatic  Repeat  Request）のベースとなる基本的な制御シグナリングである。ダウンリンク送信のタイミングとＡＣＫ／ＮＡＣＫのタイミングとのオフセットが、３ＧＰＰ  ＴＳ３６．２１３のテーブル１０．１．３．１−１において、リンク方向コンフィギュレーションごとに定義されている（表１参照）。
【００３３】
【表１】
2014069105.tif 000003
【００３４】
表１は、ダウンリンク送信と、当該ダウンリンク送信に関連付けられるＡＣＫ／ＮＡＣＫとの間のタイミングのオフセットを、サブフレーム数を単位として示している。ＡＣＫ／ＮＡＣＫの送信タイミングについて、図５も参照しながら説明する。図５の上段には、Ｃｏｎｆｉｇｕｒａｔｉｏｎ３が設定された連続する２つの無線フレームＦ１１及びＦ１２が示されている。無線フレームＦ１１及びＦ１２において、ダウンリンク送信は、０番目、１番目、５番目、６番目、７番目、８番目及び９番目のサブフレームにおいて発生し得る。表１のＣｏｎｆｉｇｕｒａｔｉｏｎ３の行を参照すると、０番目のサブフレームでのダウンリンク送信に対するＡＣＫ／ＮＡＣＫは、オフセット４を示す４番目のサブフレームで送信され得る。１番目のサブフレームでのダウンリンク送信に対するＡＣＫ／ＮＡＣＫは、オフセット１１を示す（次の無線フレームの）２番目のサブフレームで送信され得る。５番目のサブフレームでのダウンリンク送信に対するＡＣＫ／ＮＡＣＫは、オフセット７を示す（次の無線フレームの）２番目のサブフレームで送信され得る。６番目のサブフレームでのダウンリンク送信に対するＡＣＫ／ＮＡＣＫは、オフセット６を示す（次の無線フレームの）２番目のサブフレームで送信され得る。７番目のサブフレームでのダウンリンク送信に対するＡＣＫ／ＮＡＣＫは、オフセット６を示す（次の無線フレームの）３番目のサブフレームで送信され得る。８番目のサブフレームでのダウンリンク送信に対するＡＣＫ／ＮＡＣＫは、オフセット５を示す（次の無線フレームの）３番目のサブフレームで送信され得る。９番目のサブフレームでのダウンリンク送信に対するＡＣＫ／ＮＡＣＫは、オフセット５を示す（次の無線フレームの）４番目のサブフレームで送信され得る。こうしたタイミングの対応関係が、図５では点線の矢印で示されている。無線通信に関与する装置は、表１のような仕様化されたテーブルを予め記憶し、ダウンリンク送信に対するＡＣＫ／ＮＡＣＫの送信タイミングを、当該テーブルを参照することにより決定し得る。
【００３５】
しかし、リンク方向コンフィギュレーションが更新される場合、更新前の無線フレームと更新後の無線フレームとの間でリンク方向の異なるサブフレームが存在する。図５の下段では、Ｃｏｎｆｉｇｕｒａｔｉｏｎ３が設定された無線フレームＦ２１に続く無線フレームＦ２２に、Ｃｏｎｆｉｇｕｒａｔｉｏｎ２が設定されている。この場合、３番目及び４番目のサブフレームでリンク方向の衝突が発生する。その結果として、端末装置は、無線フレームＦ２１の７番目、８番目及び９番目のサブフレーム、並びに無線フレームＦ２２の０番目のサブフレームでのダウンリンク送信に対するＡＣＫ／ＮＡＣＫを、上記テーブルによって指定される無線フレームＦ２２の３番目及び４番目のサブフレームで送信することができない。ＡＣＫ／ＮＡＣＫがロスすると、基地局は、対応するダウンリンク送信が正常に行われていたとしてもそのことを認識できず、送信済みのデータを再送し得る。それにより、無線リソースが無駄に消費され、システムのスループットは低下し得る。
【００３６】
（２）アップリンク送信に先立つＵＬ許可
ＵＬ許可（Uplink  Grant）は、アップリンク送信がスケジューリングされたことを端末装置へ通知するための制御シグナリングである。アップリンク送信とＵＬ許可との間のタイミングのオフセットは、３ＧＰＰ  ＴＳ３６．２１３のテーブル８−２において、リンク方向コンフィギュレーションごとに定義されている（表２参照）。
【００３７】
【表２】
2014069105.tif 000004
【００３８】
表２は、アップリンク送信と、当該アップリンク送信に関連付けられるＵＬ許可との間のタイミングのオフセットを、サブフレーム数を単位として示している。なお、表１ではＡＣＫ／ＮＡＣＫの送信タイミングを基準とする後方（過去）へのオフセットが示されていたのに対して、表２ではＵＬ許可の送信タイミングを基準とする前方（未来）へのオフセットが示されている。ＵＬ許可の送信タイミングについて、図６も参照しながら説明する。図６の上段には、Ｃｏｎｆｉｇｕｒａｔｉｏｎ４が設定された連続する２つの無線フレームＦ３１及びＦ３２が示されている。無線フレームＦ３１及びＦ３２において、アップリンク送信は、２番目及び３番目のサブフレームにおいて発生し得る。表２のＣｏｎｆｉｇｕｒａｔｉｏｎ４の行を参照すると、２番目のサブフレームでのアップリンク送信についてのＵＬ許可は、オフセット４を示す（前の無線フレームの）８番目のサブフレームで送信され得る。３番目のサブフレームでのアップリンク送信についてのＵＬ許可は、オフセット４を示す（前の無線フレームの）９番目のサブフレームで送信され得る。こうしたタイミングの対応関係が、図６では点線の矢印で示されている。無線通信に関与する装置は、表２のような仕様化されたテーブルを予め記憶し、アップリンク送信についてのＵＬ許可の送信タイミングを、当該テーブルを参照することにより決定し得る。
【００３９】
しかし、リンク方向コンフィギュレーションが更新される場合、更新前の無線フレームと更新後の無線フレームとの間でリンク方向の異なるサブフレームが存在する。図６の下段では、Ｃｏｎｆｉｇｕｒａｔｉｏｎ０が設定された無線フレームＦ４１に続く無線フレームＦ４２に、Ｃｏｎｆｉｇｕｒａｔｉｏｎ４が設定されている。この場合、４番目、７番目、８番目及び９番目のサブフレームでリンク方向の衝突が発生する。その結果として、基地局は、無線フレームＦ４２の２番目及び３番目のサブフレームでのアップリンク送信についてのＵＬ許可を、上記テーブルによって指定される無線フレームＦ４１の８番目及び９番目のサブフレームで送信することができない。ＵＬ許可が送信されなければ、端末装置は、アップリンク送信を実行しない。この場合、無線フレームＦ４２の２番目及び３番目のサブフレームが使用されないことになるため、無線リソースの利用効率は下がり、システムのスループットは低下し得る。
【００４０】
（３）既存の手法の問題点
非特許文献３は、リンク方向コンフィギュレーションが短い周期で更新される状況での上述した課題に対するいくつかの解決策を提案している。それら解決策は、制御シグナリング（ＡＣＫ／ＮＡＣＫ又はＵＬ許可）のタイミングの延期又は前倒しなどであり、いずれも、リンク方向の衝突の判定と制御シグナリングのタイミングの個別の変更とを要する。リンク方向コンフィギュレーションが短い周期で更新されることを前提とすれば、そうした解決策は、処理の負荷を著しく増大させ、電力消費を悪化させることに加えて、複雑な実装に起因するコストの増加も招くというデメリットを有する。本開示に係る技術は、これらデメリットを回避しつつ、リンク方向コンフィギュレーションが短い周期で更新される状況において、リンク方向の衝突に起因するスループットの低下を防ぐことのできる、改善された仕組みを提供する。
【００４１】
［１−４．追加的な課題］
なお、ダイナミックＴＤＤ用コンフィギュレーションがレガシー用コンフィギュレーションよりも短い周期で更新される結果として、これら２つのコンフィギュレーションの間でもリンク方向の衝突が生じ得る。２つのコンフィギュレーションの間のリンク方向の衝突は、レガシー端末の同期動作に影響を与える可能性がある。
【００４２】
一般的に、端末装置の同期動作は、基本同期及び同期トラッキングを含む。基本同期は、端末装置の動作タイミングが基地局の動作タイミングに全く同期していない状態からの同期を指す。基本同期は、端末装置がＰＳＳ（Primary  Synchronization  Signal）及びＳＳＳ（Secondary  Synchronization  Signal）をサーチすることにより行われる。端末装置は、基本同期を通じて、接続先のセルのセルＩＤを取得し、無線フレームの大まかなタイミングを知る。同期トラッキングは、基本同期が完了した後、同期精度を向上するために実行される。同期トラッキングは、端末装置がＣＲＳ（Cell-specific  Reference  Symbol）を受信することにより行われる。ＣＲＳは、図７Ａに例示されるように、原則として、各ダウンリンクサブフレームのＰＤＣＣＨ（Physical  Downlink  Control  Channel）及びＰＤＳＣＨ（Physical  Downlink  Shared  Channel）に分散的に挿入される。端末装置は、アイドルモード（RRC_Idle）及びアクティブモード（RRC_Connected）の双方において、自らを宛て先とするデータが存在するかに関わらず、これらダウンリンクサブフレームのＣＲＳを受信することにより、動作タイミングの同期を維持する。なお、ダウンリンクサブフレームがＭＢＳＦＮ（MBMS  Single  Frequency  Network）サブフレームに設定されると、当該ダウンリンクサブフレームのＰＤＳＣＨは、ＭＢＭＳ（Multimedia  Broadcast  Multicast  Services）信号のブロードキャスト又はマルチキャストのためにのみ使用される。図７Ｂに例示されるように、ＭＢＳＦＮサブフレームのＰＤＳＣＨには、ＣＲＳは挿入されない。
【００４３】
ここで、例えば、レガシー用コンフィギュレーションとしてＣｏｎｆｉｇｕｒａｔｉｏｎ２、ダイナミックＴＤＤ用コンフィギュレーションとしてＣｏｎｆｉｇｕｒａｔｉｏｎ４が設定されたものとする（図２参照）。基地局はダイナミックＴＤＤ用コンフィギュレーションに従って動作するため、３番目のサブフレーム（＃３）のリンク方向はアップリンクであり、７番目のサブフレーム（＃７）のリンク方向はダウンリンクである。しかし、レガシー端末は、レガシー用コンフィギュレーションに従って、３番目のサブフレームのリンク方向はダウンリンク、７番目のサブフレームのリンク方向はアップリンクであると認識する。そして、レガシー端末は、３番目のサブフレームにおいて同期トラッキングのためにＣＲＳの受信を試みる。しかし、基地局は実際にはアップリンクサブフレームである当該サブフレームにおいてＣＲＳを送信しない。結果として、レガシー端末の同期トラッキングの精度が低下するリスクが生じる。なお、７番目のサブフレームでは、基地局はＣＲＳを送信するものの、レガシー端末は当該ＣＲＳを受信しない。しかし、一部のＣＲＳが受信されないとしても、レガシー端末の同期トラッキングの精度は低下しないため、７番目のサブフレームのリンク方向の衝突の影響は小さい。
【００４４】
次節より説明する一実施形態によれば、このような２つのコンフィギュレーションの間のリンク方向の衝突の影響も回避され又は緩和され得る。
【００４５】
＜２．通信制御システムの構成＞
［２−１．システムの概要］
図８は、本開示に係る技術の一実施形態に係る通信制御システム１の構成の一例を示す説明図である。図８を参照すると、通信制御システム１は、基地局１００を含む。基地局（ｅＮＢ）１００は、セル１０２の内部に位置するレガシー端末１０４及びダイナミックＴＤＤ端末２００へ、ＴＤ−ＬＴＥ方式に従って無線通信サービスを提供する。基地局１００は、典型的にはＥＰＣ（Evolved  Packet  Core）として実現されるコアネットワーク１０６と接続される。コアネットワーク１０６は、例えば、ＭＭＥ（Mobility  Management  Entity）、Ｓ−ＧＷ（Serving  Gateway）及びＰ−ＧＷなどの様々な制御ノードを含む。
【００４６】
レガシー端末１０４は、レガシー用コンフィギュレーションに従って動作する端末装置である。ダイナミックＴＤＤ端末２００は、ダイナミックＴＤＤ用コンフィギュレーションに従って動作することの可能な端末装置である。ダイナミックＴＤＤ端末２００は、追加的に、レガシー用コンフィギュレーションに従って動作することも可能であってよい。これらリンク方向コンフィギュレーションを設定し、端末装置のために制御シグナリングを行う制御機能は、基地局１００、又は基地局１００を介してこれら端末装置と通信するいずれかの制御ノードに配置され得る。以下の説明では、一例として、基地局１００が当該制御機能を有するものとする。
【００４７】
［２−２．基本的な原理］
本節では、通信制御システム１において、ダイナミックＴＤＤ用コンフィギュレーションを短い周期で更新することを可能としつつも、リンク方向の衝突に起因するスループットの低下を防ぐための、基本的な原理について説明する。
【００４８】
（１）新たなシグナリングの導入
本実施形態において、基地局１００は、レガシー端末１０４のためにレガシー用コンフィギュレーションを設定する。また、基地局１００は、ダイナミックＴＤＤ端末２００のためにダイナミックＴＤＤ用コンフィギュレーションを設定する。ダイナミックＴＤＤ用コンフィギュレーションは、レガシー用コンフィギュレーションのシグナリング周期よりも短い時間間隔で更新可能である。さらに、基地局１００は、ダイナミックＴＤＤ用コンフィギュレーションに依存することなく、第１のリンク方向（ＤＬ又はＵＬ）のデータ送信に関連付けられる第２のリンク方向（ＵＬ又はＤＬ）の制御シグナリングのタイミングを設定する。ここでの制御シグナリングは、ダウンリンク送信に関連付けられるＡＣＫ／ＮＡＣＫ及びアップリンク送信に関連付けられるＵＬ許可のうちの一方又は双方を含み得る。そして、基地局１００は、これら設定に基づいて、いくつかの種類のシグナリングを実行する。
【００４９】
図９Ａは、本実施形態において導入され得る新たなシグナリングの第１の例について説明するための説明図である。図９Ａを参照すると、基地局１００は、レガシー端末１０４に向けてのシグナリングＳＩＧ０、並びにダイナミックＴＤＤ端末２００に向けてのシグナリングＳＩＧ１及びシグナリングＳＩＧ２を実行する。例えば、シグナリングＳＩＧ０は、レガシー用コンフィギュレーションをレガシー端末１０４へ通知するＳＩメッセージである。シグナリングＳＩＧ１は、ダイナミックＴＤＤ用コンフィギュレーションをダイナミックＴＤＤ端末２００へ通知するダイナミックコンフィギュレーション（ＤＣ）メッセージである。シグナリングＳＩＧ２は、ダウンリンク送信に関連付けられるＡＣＫ／ＮＡＣＫの送信タイミングをダイナミックＴＤＤ端末２００へ通知する新たなメッセージである。ダイナミックＴＤＤ端末２００は、受信されるシグナリングＳＩＧ２に基づいて、ダウンリンク送信が行われるダウンリンクサブフレームとＡＣＫ／ＮＡＣＫを送信すべきアップリンクサブフレームとの間のオフセットを認識する。
【００５０】
図９Ｂは、本実施形態において導入され得る新たなシグナリングの第２の例について説明するための説明図である。図９Ｂを参照すると、基地局１００は、レガシー端末１０４に向けてのシグナリングＳＩＧ０、並びにダイナミックＴＤＤ端末２００に向けてのシグナリングＳＩＧ１及びシグナリングＳＩＧ３を実行する。例えば、シグナリングＳＩＧ３は、ＵＬ許可に関連付けられるアップリンク送信の送信タイミングをダイナミックＴＤＤ端末２００へ通知する新たなメッセージである。ダイナミックＴＤＤ端末２００は、シグナリングＳＩＧ３に基づいて、ＵＬ許可が受信されるダウンリンクサブフレームとアップリンク送信が許可されたアップリンクサブフレームとの間のオフセットを認識する。
【００５１】
図９Ｃは、本実施形態において導入され得る新たなシグナリングの第３の例について説明するための説明図である。図９Ｃを参照すると、基地局１００は、レガシー端末１０４に向けてのシグナリングＳＩＧ０、並びにダイナミックＴＤＤ端末２００に向けてのシグナリングＳＩＧ１、シグナリングＳＩＧ２及びシグナリングＳＩＧ３を実行する。
【００５２】
図９Ａ〜図９Ｃのいずれの例においても、シグナリングＳＩＧ２及びＳＩＧ３は、制御シグナリングのタイミングが変更されない限り、ダイナミックＴＤＤ端末２００に一度だけ送信されれば十分である。シグナリングＳＩＧ２及びＳＩＧ３のトリガは、例えば、ダイナミックＴＤＤ端末２００の基地局１００への新規接続（他のシステムからのハンドオーバを含む）、又はダイナミックＴＤＤ端末２００のアイドルモードからアクティブモードへの復帰などであってよい。
【００５３】
（２）シグナリングされる値（ＳＩＧ０）
本実施形態において、基地局１００は、シグナリングＳＩＧ０〜ＳＩＧ３の各々において、コンフィギュレーション候補のセットのうちの１つをそれぞれ指定する。コンフィギュレーション候補のセットとは、典型的には、図２に例示したＣｏｎｆｉｇｕｒａｔｉｏｎ０〜Ｃｏｎｆｉｇｕｒａｔｉｏｎ６を含み得る。コンフィギュレーション候補のセットは無線通信ネットワークに固有であってもよく、その場合、いくつかのリンク方向コンフィギュレーションがコンフィギュレーション候補のセットから除外され得る。
【００５４】
シグナリングＳＩＧ０では、典型的には、アップリンク率のより高いコンフィギュレーション候補が、レガシー用コンフィギュレーションとして指定され得る。例えば、アップリンク率の最も高いＣｏｎｆｉｇｕｒａｔｉｏｎ０がレガシー用コンフィギュレーションとして指定される場合、レガシー端末１０４は、０番目及び５番目のサブフレームをダウンリンクサブフレームとして認識する。そして、基地局１００が他のいずれのコンフィギュレーションに従って動作したとしても、０番目及び５番目のサブフレームはダウンリンクサブフレームに維持される。従って、レガシー端末１０４がＣＲＳの受信を試みるサブフレームにおいて基地局１００はＣＲＳを送信するため、レガシー端末１０４により正常に同期トラッキングが行われることを保証することができる。
【００５５】
（３）シグナリングされる値（ＳＩＧ１）
シグナリングＳＩＧ１では、ネットワーク内のアップリンクトラフィックとダウンリンクトラフィックとの間の比率（ＵＬ−ＤＬトラフィック比）に応じて選択されるコンフィギュレーション候補が、ダイナミックＴＤＤ用コンフィギュレーションとして指定される。例えば、コンフィギュレーション候補のセットがＣｏｎｆｉｇｕｒａｔｉｏｎ０〜Ｃｏｎｆｉｇｕｒａｔｉｏｎ２のみを含む場合において、アップリンクトラフィックの比率がより高いときは、Ｃｏｎｆｉｇｕｒａｔｉｏｎ０が指定され得る。同じ場合において、ダウンリンクトラフィックの比率がより高いときは、Ｃｏｎｆｉｇｕｒａｔｉｏｎ２が指定され得る。同じ場合において、アップリンクトラフィックの比率とダウンリンクトラフィックの比率との間の差が小さいときは、Ｃｏｎｆｉｇｕｒａｔｉｏｎ１が指定され得る。ＵＬ−ＤＬトラフィック比のモニタリングは、例えば、１〜数無線フレーム分の（即ち、１０〜数十ｍｓｅｃの）時間間隔で行われてよい。将来のＵＬ−ＤＬトラフィック比の予測に基づいて、ダイナミックＴＤＤ用コンフィギュレーションが選択されてもよい。
【００５６】
（４）シグナリングされる値（ＳＩＧ２）
上述したように、シグナリングＳＩＧ２は、ダウンリンク送信に関連付けられるＡＣＫ／ＮＡＣＫの送信タイミングをダイナミックＴＤＤ端末２００へ通知する。シグナリングＳＩＧ２では、基地局１００は、コンフィギュレーション候補のセットのうちダウンリンク比率のより高い候補を指定し得る。特に、シグナリングＳＩＧ２は、他のコンフィギュレーション候補においてダウンリンクサブフレームになり得る位置の全てのサブフレームがダウンリンクサブフレームとして定義されているコンフィギュレーション候補を指定することが好適である。例えば、コンフィギュレーション候補のセットがＣｏｎｆｉｇｕｒａｔｉｏｎ０〜Ｃｏｎｆｉｇｕｒａｔｉｏｎ６を含む場合には、シグナリングＳＩＧ２は、Ｃｏｎｆｉｇｕｒａｔｉｏｎ５を指定し得る。
【００５７】
図１０Ａは、シグナリングＳＩＧ２に基づくＡＣＫ／ＮＡＣＫの新たな送信タイミングの第１の例について説明するための説明図である。図１０Ａの例では、上段に示したように、シグナリングＳＩＧ２において、Ｃｏｎｆｉｇｕｒａｔｉｏｎ５が指定されたものとする。一方、図１０Ａの下段には、無線フレームＦ５１及びそれに続く無線フレームＦ５２が示されている。無線フレームＦ５１に設定されたダイナミックＴＤＤ用コンフィギュレーションは、Ｃｏｎｆｉｇｕｒａｔｉｏｎ３である。無線フレームＦ５２に設定されたダイナミックＴＤＤ用コンフィギュレーションは、Ｃｏｎｆｉｇｕｒａｔｉｏｎ２である。この場合、３番目、４番目及び７番目のサブフレームでリンク方向の衝突が発生する。しかし、表１のＣｏｎｆｉｇｕｒａｔｉｏｎ５の行を参照すると、いずれのダウンリンクサブフレームでのダウンリンク送信に対するＡＣＫ／ＮＡＣＫも、２番目のサブフレームにおいて送信される。具体的には、図１０Ａの下段において破線の矢印で示されているように、無線フレームＦ５１の１番目、５番目、６番目、７番目及び８番目のダウンリンクサブフレームでのダウンリンク送信に対するＡＣＫ／ＮＡＣＫは、無線フレームＦ５２の２番目のアップリンクサブフレームで送信される。無線フレームＦ５１の９番目のダウンリンクサブフレームでのダウンリンク送信に対するＡＣＫ／ＮＡＣＫは、無線フレームＦ５２の次の無線フレームの２番目のアップリンクサブフレームで送信される。無線フレームＦ５２の０番目のダウンリンクサブフレームでのダウンリンク送信に対するＡＣＫ／ＮＡＣＫは、無線フレームＦ５２の次の無線フレームの２番目のアップリンクサブフレームで送信される。そして、これらＡＣＫ／ＮＡＣＫが送信されるアップリンクサブフレームにおいてリンク方向の衝突は発生しないため、リンク方向の衝突に起因するＡＣＫ／ＮＡＣＫのロスは回避される。
【００５８】
図１０Ｂは、シグナリングＳＩＧ２に基づくＡＣＫ／ＮＡＣＫの新たな送信タイミングの第２の例について説明するための説明図である。図１０Ｂの例では、上段に示したように、シグナリングＳＩＧ２において、Ｃｏｎｆｉｇｕｒａｔｉｏｎ４が指定されたものとする。一方、図１０Ｂの下段には、無線フレームＦ６１及びそれに続く無線フレームＦ６２が示されている。無線フレームＦ６１に設定されたダイナミックＴＤＤ用コンフィギュレーションは、Ｃｏｎｆｉｇｕｒａｔｉｏｎ３である。無線フレームＦ６２に設定されたダイナミックＴＤＤ用コンフィギュレーションは、Ｃｏｎｆｉｇｕｒａｔｉｏｎ１である。この場合、４番目、７番目及び８番目のサブフレームでリンク方向の衝突が発生する。しかし、表１のＣｏｎｆｉｇｕｒａｔｉｏｎ４の行を参照すると、いずれのダウンリンクサブフレームでのダウンリンク送信に対するＡＣＫ／ＮＡＣＫも、２番目又は３番目のサブフレームにおいて送信される。具体的には、図１０Ｂの下段において破線の矢印で示されているように、無線フレームＦ６１の１番目及び５番目のダウンリンクサブフレームでのダウンリンク送信に対するＡＣＫ／ＮＡＣＫは、無線フレームＦ６２の２番目のアップリンクサブフレームで送信される。無線フレームＦ６１の６番目、７番目、８番目及び９番目のダウンリンクサブフレームでのダウンリンク送信に対するＡＣＫ／ＮＡＣＫは、無線フレームＦ６２の３番目のアップリンクサブフレームで送信される。無線フレームＦ６２の０番目のダウンリンクサブフレームでのダウンリンク送信に対するＡＣＫ／ＮＡＣＫは、無線フレームＦ６２の次の無線フレームの２番目のアップリンクサブフレームで送信される。そして、これらＡＣＫ／ＮＡＣＫが送信されるアップリンクサブフレームにおいてリンク方向の衝突は発生しないため、リンク方向の衝突に起因するＡＣＫ／ＮＡＣＫのロスは回避される。図１０Ｂの例は、コンフィギュレーション候補のセットからＣｏｎｆｉｇｕｒａｔｉｏｎ５などが除外されている場合に有効である。
【００５９】
このように、ダイナミックＴＤＤ用コンフィギュレーションとは別にシグナリングされ得る特定のコンフィギュレーションに基づいてＡＣＫ／ＮＡＣＫの送信タイミングを決定することにより、リンク方向の衝突に起因するＡＣＫ／ＮＡＣＫのロスを回避して、システムのスループットの低下を防ぐことができる。
【００６０】
なお、レガシー端末１０４は、シグナリングＳＩＧ２を受信せず、シグナリングＳＩＧ０において指定されるレガシー用コンフィギュレーション（例えば、Ｃｏｎｆｉｇｕｒａｔｉｏｎ０）に従って動作する。表１のＣｏｎｆｉｇｕｒａｔｉｏｎ０の行を参照すると、６番目のサブフレームでのダウンリンク送信に対するＡＣＫ／ＮＡＣＫは、アップリンクサブフレームである２番目のサブフレームで送信される。そこで、基地局１００は、レガシー端末１０４へのダウンリンク送信を６番目のサブフレームにスケジューリングするようにスケジューリングを制限することにより、当該ダウンリンク送信に対するＡＣＫ／ＮＡＣＫを適切に受信することができる。
【００６１】
（５）シグナリングされる値（ＳＩＧ３）
上述したように、シグナリングＳＩＧ３は、ＵＬ許可に関連付けられるアップリンク送信の送信タイミングをダイナミックＴＤＤ端末２００へ通知する。シグナリングＳＩＧ３では、基地局１００は、コンフィギュレーション候補のセットのうちアップリンク比率のより高い候補を指定し得る。特に、シグナリングＳＩＧ３は、他のコンフィギュレーション候補においてアップリンクサブフレームになり得る位置の全てのサブフレームがアップリンクサブフレームとして定義されているコンフィギュレーション候補を指定することが好適である。例えば、コンフィギュレーション候補のセットがＣｏｎｆｉｇｕｒａｔｉｏｎ０〜Ｃｏｎｆｉｇｕｒａｔｉｏｎ６を含む場合には、シグナリングＳＩＧ３は、Ｃｏｎｆｉｇｕｒａｔｉｏｎ０を指定し得る。
【００６２】
図１１Ａは、シグナリングＳＩＧ３に基づくＵＬ許可の新たな送信タイミングの第１の例について説明するための説明図である。図１１Ａの例では、上段に示したように、シグナリングＳＩＧ３において、Ｃｏｎｆｉｇｕｒａｔｉｏｎ０が指定されたものとする。一方、図１１Ａの下段には、無線フレームＦ７１及びそれに続く無線フレームＦ７２が示されている。無線フレームＦ７１に設定されたダイナミックＴＤＤ用コンフィギュレーションは、Ｃｏｎｆｉｇｕｒａｔｉｏｎ０である。無線フレームＦ７２に設定されたダイナミックＴＤＤ用コンフィギュレーションは、Ｃｏｎｆｉｇｕｒａｔｉｏｎ４である。この場合、４番目、７番目、８番目及び９番目のサブフレームでリンク方向の衝突が発生する。しかし、表２のＣｏｎｆｉｇｕｒａｔｉｏｎ０の行を参照すると、いずれのアップリンクサブフレームでのアップリンク送信についてのＵＬ許可も、０番目、１番目、５番目又は６番目のサブフレームにおいて送信される。これら４つのサブフレームのリンク方向は、コンフィギュレーションに関わらず常にダウンリンクである。具体的には、図１１Ａの下段において破線の矢印で示されているように、無線フレームＦ７２の２番目及び３番目のアップリンクサブフレームでのアップリンク送信についてのＵＬ許可は、無線フレームＦ７１の６番目のダウンリンクサブフレームで送信される。このＵＬ許可が送信されるダウンリンクサブフレームにおいてリンク方向の衝突は発生しない。
【００６３】
図１１Ｂは、シグナリングＳＩＧ３に基づくＵＬ許可の新たな送信タイミングの第２の例について説明するための説明図である。図１１Ｂの例では、上段に示したように、シグナリングＳＩＧ３において、Ｃｏｎｆｉｇｕｒａｔｉｏｎ６が指定されたものとする。一方、図１１Ｂの下段には、無線フレームＦ８１及びそれに続く無線フレームＦ８２が示されている。無線フレームＦ８１に設定されたダイナミックＴＤＤ用コンフィギュレーションは、Ｃｏｎｆｉｇｕｒａｔｉｏｎ１である。無線フレームＦ８２に設定されたダイナミックＴＤＤ用コンフィギュレーションは、Ｃｏｎｆｉｇｕｒａｔｉｏｎ３である。この場合、４番目、７番目及び８番目のサブフレームでリンク方向の衝突が発生する。しかし、表２のＣｏｎｆｉｇｕｒａｔｉｏｎ６の行を参照すると、図１１Ｂの下段において破線の矢印で示されているように、無線フレームＦ８２の２番目のアップリンクサブフレームでのアップリンク送信についてのＵＬ許可は、無線フレームＦ８１の５番目のダウンリンクサブフレームで送信される。無線フレームＦ８２の３番目のアップリンクサブフレームでのアップリンク送信についてのＵＬ許可は、無線フレームＦ８１の６番目のダウンリンクサブフレームで送信される。無線フレームＦ８２の４番目のアップリンクサブフレームでのアップリンク送信についてのＵＬ許可は、無線フレームＦ８１の９番目のダウンリンクサブフレームで送信される。これらＵＬ許可が送信されるダウンリンクサブフレームにおいて、リンク方向の衝突は発生しない。図１１Ｂの例は、コンフィギュレーション候補のセットからＣｏｎｆｉｇｕｒａｔｉｏｎ０などが除外されている場合に有効である。
【００６４】
このように、ダイナミックＴＤＤ用コンフィギュレーションとは別にシグナリングされ得る特定のコンフィギュレーションに基づいてＵＬ許可の送信タイミングを決定することにより、アップリンク送信のために使用し得ないサブフレームの発生を回避して、システムのスループットの低下を防ぐことができる。
【００６５】
なお、レガシー端末１０４は、シグナリングＳＩＧ３を受信せず、シグナリングＳＩＧ０において指定されるレガシー用コンフィギュレーション（例えば、Ｃｏｎｆｉｇｕｒａｔｉｏｎ０）に従って動作する。表２のＣｏｎｆｉｇｕｒａｔｉｏｎ０の行を参照すると、いずれのアップリンクサブフレームでのアップリンク送信に対するＵＬ許可も、常にダウンリンクサブフレームである０番目、１番目、５番目又は６番目のサブフレームで送信される。従って、基地局１００は、レガシー端末１０４からのアップリンク送信のスケジューリングに特別な制約を課すことなく、レガシー端末１０４へ適切にＵＬ許可を送信することができる。
【００６６】
本節で説明した原理を実装する通信制御装置（本実施形態では、基地局１００）及びダイナミックＴＤＤ端末２００の具体的な構成例について、次節以降で説明する。
【００６７】
［２−３．通信制御装置の構成例］
本実施形態において、基地局１００は、時分割複信（ＴＤＤ）方式に従って端末装置により行われる無線通信を制御する通信制御装置としての役割を有する。図１２は、基地局１００の構成の一例を示すブロック図である。図１２を参照すると、基地局１００は、無線通信部１１０、信号処理部１２０、インタフェース部１３０、設定部１４０、記憶部１４２及びシグナリング部１５０を備える。
【００６８】
（１）無線通信部
無線通信部１１０は、基地局１００が１つ以上の端末装置との間で無線信号を送受信するための通信インタフェースである。無線通信部１１０は、１つ以上のアンテナ（図示せず）及びＲＦ回路を有する。無線通信部１１０は、端末装置から送信されるアップリンク信号を受信し、受信信号の増幅、周波数変換及びＡＤ変換を行う。また、無線通信部１１０は、送信信号のＤＡ変換、周波数変換及び増幅を行い、ダウンリンク信号を端末装置へ送信する。
【００６９】
無線通信部１１０により受信されるアップリンク信号は、アップリンクデータ信号及びアップリンクシグナリングを含む。アップリンクシグナリングは、各端末装置からのバッファステータスレポート、及びダウンリンク送信に関連付けられるＡＣＫ／ＮＡＣＫを含む。また、無線通信部１１０により送信されるダウンリンク信号は、ダウンリンクデータ信号及びダウンリンクシグナリングを含む。ダウンリンクシグナリングは、アップリンク送信に関連付けられるＵＬ許可、並びに上述したシグナリングＳＩＧ０、ＳＩＧ１、ＳＩＧ２及びＳＩＧ３を含み得る。
【００７０】
（２）信号処理部
信号処理部１２０は、無線通信部１１０から入力される受信信号の等化、復調及び復号、並びに無線通信部１１０へ出力される送信信号の符号化及び変調を行うための信号処理回路を有する。信号処理部１２０は、復調し及び復号した受信信号に含まれるデータを、インタフェース部１３０へ出力する。また、信号処理部１２０は、インタフェース部１３０から入力されるデータを含む送信信号を符号化し及び変調する。
【００７１】
（３）インタフェース部
インタフェース部１３０は、基地局１００が他の基地局との間で通信するためのＸ２インタフェース、及び基地局１００がコアネットワーク１０６内の制御ノードとの間で通信するためのＳ１インタフェースなどの通信インタフェース群を含む。インタフェース部１３０の各通信インタフェースは、有線通信インタフェースであってもよく、又は無線通信インタフェースであってもよい。インタフェース部１３０は、例えば、Ｐ−ＧＷからバッファシグナリングを受信する。当該バッファシグナリングは、端末装置ごとのバッファ待機中のダウンリンクデータ信号のトラフィック量を示す。インタフェース部１３０は、受信したバッファシグナリングを設定部１４０へ出力する。
【００７２】
（４）設定部
設定部１４０は、複数のサブフレームを含むフレームの各々について、セル内の無線通信のために、サブフレーム単位のリンク方向を表すリンク方向コンフィギュレーションを設定する。より具体的には、設定部１４０は、１つ以上のレガシー端末１０４を含む第１の端末グループのために、レガシー用コンフィギュレーションを設定する。また、設定部１４０は、１つ以上のダイナミックＴＤＤ端末２００を含む第２の端末グループのために、ダイナミックＴＤＤ用コンフィギュレーションを設定する。無線通信部１１０は、設定部１４０により設定されるダイナミックＴＤＤ用コンフィギュレーションに従って動作する。
【００７３】
例えば、設定部１４０は、レガシー用コンフィギュレーションとして、予め定義されるリンク方向コンフィギュレーション（例えば、Ｃｏｎｆｉｇｕｒａｔｉｏｎ０）を半永続的に設定してよい。レガシー用コンフィギュレーションとして設定されるリンク方向コンフィギュレーションは、レガシー端末１０４によるＣＲＳを用いた正常な同期トラッキングが保証されるように定義され得る。
【００７４】
また、設定部１４０は、ＵＬ−ＤＬトラフィック比の最新の値又は予測される将来の値に基づいて、各無線フレームに設定すべきダイナミックＴＤＤ用コンフィギュレーションを、複数のコンフィギュレーション候補から選択する。例えば、設定部１４０は、より多くのアップリンクトラフィックがバッファ待機中であれば、アップリンク率のより高いリンク方向コンフィギュレーションを選択し得る。同様に、設定部１４０は、より多くのダウンリンクトラフィックがバッファ待機中であれば、ダウンリンク率の高いリンク方向コンフィギュレーションを選択し得る。無線通信ネットワークにおいて選択され得るコンフィギュレーション候補のセットは、非特許文献１において定義されている７種類のリンク方向コンフィギュレーションの全てであってもよく、又はネットワーク固有のサブセットであってもよい。
【００７５】
また、設定部１４０は、設定したダイナミックＴＤＤ用コンフィギュレーションに依存することなく、端末装置との無線通信において第１のリンク方向のデータ送信に関連付けられる、第１のリンク方向とは逆の第２のリンク方向の制御シグナリングのタイミングを設定する。ここでの制御シグナリングは、ダウンリンク送信への応答として端末装置から送信されるＡＣＫ／ＮＡＣＫ及びアップリンク送信に先立って端末装置へ送信されるＵＬ許可の一方又は双方を含む。本実施形態において、設定部１４０は、制御シグナリングのタイミングを、選択可能なコンフィギュレーション候補のうちの１つを指定する形で設定する。
【００７６】
例えば、設定部１４０は、ダウンリンク送信に対するＡＣＫ／ＮＡＣＫのタイミングとして、コンフィギュレーション候補のセットのうちダウンリンク比率のより高い候補を指定し得る。その結果、図１０Ａ及び図１０Ｂを用いて説明したように、ダイナミックＴＤＤ用コンフィギュレーションが更新される際にも、ＡＣＫ／ＮＡＣＫが送信されるアップリンクサブフレームにおいてリンク方向の衝突が発生することを回避することができる。基地局１００及びダイナミックＴＤＤ端末２００の双方は、コンフィギュレーション候補ごとにダウンリンク送信のタイミングとＡＣＫ／ＮＡＣＫのタイミングとを関連付けるテーブル（表１参照）を予め記憶する。そして、実際にダイナミックＴＤＤ端末２００によりＡＣＫ／ＮＡＣＫが送信されるタイミングは、設定部１４０により設定されたコンフィギュレーションに対応する当該テーブル内のエントリに基づいて決定される。
【００７７】
また、設定部１４０は、アップリンク送信に先立つＵＬ許可のタイミングとして、コンフィギュレーション候補のセットのうちアップリンク比率のより高い候補を指定し得る。その結果、図１１Ａ及び図１１Ｂを用いて説明したように、ダイナミックＴＤＤ用コンフィギュレーションが更新される際にも、アップリンク送信のために使用し得ないサブフレームの発生を回避しつつ、ＵＬ許可のタイミングを決定することができる。基地局１００及びダイナミックＴＤＤ端末２００の双方は、コンフィギュレーション候補ごとにアップリンク送信のタイミングとＵＬ許可のタイミングとを関連付けるテーブル（表２参照）を予め記憶する。そして、実際に無線通信部１１０によりＵＬ許可が送信されるタイミングは、設定部１４０により設定されたコンフィギュレーションに対応する当該テーブル内のエントリに基づいて決定される。
【００７８】
記憶部１４２は、設定部１４０により設定される様々なパラメータ、及びそれらパラメータを設定する際に参照される様々なデータを記憶する記憶媒体である。例えば、記憶部１４２は、基地局１００により選択可能なコンフィギュレーション候補のセットを予め記憶する。また、記憶部１４２は、設定部１４０により設定されるレガシー用コンフィギュレーション及びダイナミックＴＤＤ用コンフィギュレーションを記憶する。また、記憶部１４２は、ダウンリンク送信のタイミングとＡＣＫ／ＮＡＣＫのタイミングとを関連付ける第１のテーブル、及びアップリンク送信のタイミングとＵＬ許可のタイミングとを関連付ける第２のテーブルを予め記憶する。また、記憶部１４２は、設定部１４０により設定されるＡＣＫ／ＮＡＣＫのタイミング及びＵＬ許可のタイミングを、コンフィギュレーション候補の番号を指定する形で記憶する。
【００７９】
本実施形態において、設定部１４０は、スケジューラとしての役割も有する。より具体的には、設定部１４０は、基地局１００から各端末装置へのダウンリンク送信及び各端末装置から基地局１００へのアップリンク送信をスケジューリングする。そして、設定部１４０は、スケジューリングの結果を示すダウンリンク割当て（Downlink  Assignment）及びＵＬ許可（Uplink  Grant）を生成する。スケジューリング情報は、シグナリング部１５０により各端末装置へ送信される。ＵＬ許可の送信タイミングは、記憶部１４２により記憶される第２のテーブル内の、ＵＬ許可のタイミングのために指定されたコンフィギュレーション番号のエントリを参照することにより、スケジューリングされたアップリンク送信のタイミングから決定される。
【００８０】
（５）シグナリング部
シグナリング部１５０は、設定部１４０により設定されるリンク方向コンフィギュレーションと、上述した制御シグナリング（ＡＣＫ／ＮＡＣＫ及びＵＬ許可の一方又は双方）のタイミングとを、無線通信部１１０を介して端末装置へシグナリングする。
【００８１】
より具体的には、シグナリング部１５０は、シグナリング周期Ｃ１で、ＳＩメッセージをブロードキャストすることにより、レガシー用コンフィギュレーションをレガシー端末１０４へシグナリングする（ＳＩＧ０）。また、シグナリング部１５０は、シグナリング周期Ｃ１よりも短いシグナリング周期Ｃ２で、ＤＣメッセージを送信することにより、ダイナミックＴＤＤ用コンフィギュレーションをダイナミックＴＤＤ端末２００へシグナリングする（ＳＩＧ１）。リンク方向コンフィギュレーションが更新されないタイミングでは、ＳＩメッセージ又はＤＣメッセージの送信は、スキップされてよい。
【００８２】
また、本実施形態において、シグナリング部１５０は、設定部１４０により設定されたコンフィギュレーション番号を指定することにより、ダウンリンク送信に対するＡＣＫ／ＮＡＣＫのタイミングをダイナミックＴＤＤ端末２００へシグナリングする（ＳＩＧ２）。また、シグナリング部１５０は、設定部１４０により設定されたコンフィギュレーション番号を指定することにより、ＵＬ許可のタイミングをダイナミックＴＤＤ端末２００へシグナリングする（ＳＩＧ３）。シグナリング部１５０は、ダイナミックＴＤＤ端末２００の基地局１００への接続（新規接続及びアクティブモードへの復帰の双方を含み得る）の際に、これらシグナリングを実行してもよい。また、シグナリング部１５０は、これらシグナリングを周期的に実行してもよい。
【００８３】
［２−４．ダイナミックＴＤＤ端末の構成例］
図１３は、ダイナミックＴＤＤ端末２００の構成の一例を示すブロック図である。図１３を参照すると、ダイナミックＴＤＤ端末２００は、無線通信部２１０、信号処理部２２０、制御部２３０及び記憶部２４０を備える。
【００８４】
（１）無線通信部
無線通信部２１０は、ダイナミックＴＤＤ端末２００が基地局１００との間で無線信号を送受信するための通信インタフェースである。無線通信部２１０は、１つ以上のアンテナ（図示せず）及びＲＦ回路を有する。無線通信部２１０は、基地局１００から送信されるダウンリンク信号を受信し、受信信号の増幅、周波数変換及びＡＤ変換を行う。また、無線通信部２１０は、送信信号のＤＡ変換、周波数変換及び増幅を行い、アップリンク信号を基地局１００へ送信する。
【００８５】
無線通信部２１０により受信されるダウンリンク信号は、ダウンリンクデータ信号及びダウンリンクシグナリングを含む。ダウンリンクシグナリングは、アップリンク送信に関連付けられるＵＬ許可、並びに上述したシグナリングＳＩＧ１、ＳＩＧ２及びＳＩＧ３を含み得る。また、無線通信部２１０により送信されるアップリンク信号は、アップリンクデータ信号及びアップリンクシグナリングを含む。アップリンクシグナリングは、バッファステータスレポート、及びダウンリンク送信に関連付けられるＡＣＫ／ＮＡＣＫを含む。
【００８６】
（２）信号処理部
信号処理部２２０は、無線通信部２１０から入力される受信信号の等化、復調及び復号、並びに無線通信部２１０へ出力される送信信号の符号化及び変調を行うための信号処理回路を有する。信号処理部２２０は、例えば、上位レイヤの処理を実現するプロセッサ（図示せず）と接続される。そして、信号処理部２２０は、復調し及び復号した受信信号に含まれるデータを上位レイヤへ出力する。また、信号処理部２２０は、上位レイヤから入力されるデータを含む送信信号を符号化し及び変調する。
【００８７】
（３）制御部
制御部２３０は、ダイナミックＴＤＤ端末２００による無線通信をＴＤ−ＬＴＥ方式に従って制御する。例えば、制御部２３０は、基地局１００から受信されるＤＣメッセージにおいて指定されるダイナミックＴＤＤ用コンフィギュレーションに従って、サブフレーム単位のリンク方向を無線通信部２１０及び信号処理部２２０に設定する。また、制御部２３０は、ダウンリンクサブフレームにおいて、無線通信部２１０にＣＲＳを受信させ、同期トラッキングを実行させる。また、制御部２３０は、バッファ待機中のアップリンクデータ信号のトラフィック量を示すバッファステータスレポートを周期的に生成し、生成したバッファステータスレポートを無線通信部２１０から基地局１００へ送信する。
【００８８】
また、制御部２３０は、第１のリンク方向のデータ送信のタイミングと、当該データ送信に関連付けられる第２のリンク方向の制御シグナリングのタイミングとの間のオフセットを、基地局１００からのシグナリングに基づいて設定する。
【００８９】
より具体的には、制御部２３０は、ダウンリンク送信と当該ダウンリンク送信に関連付けられるＡＣＫ／ＮＡＣＫとの間のタイミングのオフセットを、基地局１００から受信されるシグナリングＳＩＧ２に基づいて設定する。ここで設定されるオフセットは、ダウンリンク送信のタイミングとＡＣＫ／ＮＡＣＫのタイミングとを関連付ける第１のテーブル内の、シグナリングＳＩＧ２により指定されたエントリにより示される。そして、制御部２３０は、無線通信部２１０により受信されるダウンリンク割当てに従って、無線通信部２１０にダウンリンク信号を受信させる。さらに、制御部２３０は、設定したオフセットとダウンリンク送信のタイミングとに基づいて、個々のＡＣＫ／ＮＡＣＫのタイミングを決定する。このように決定されるＡＣＫ／ＮＡＣＫのタイミングに相当するサブフレームは、いずれも、ダイナミックＴＤＤ用コンフィギュレーションに関わらず、アップリンクサブフレームとなる。従って、制御部２３０は、ダウンリンク送信の都度リンク方向の衝突を判定しなくてよく、ＡＣＫ／ＮＡＣＫを延期するような動作も不要である。
【００９０】
また、制御部２３０は、アップリンク送信と当該アップリンク送信に関連付けられるＵＬ許可との間のタイミングのオフセットを、基地局１００から受信されるシグナリングＳＩＧ３に基づいて設定する。ここで設定されるオフセットは、アップリンク送信のタイミングとＵＬ許可のタイミングとを関連付ける第２のテーブル内の、シグナリングＳＩＧ３により指定されたエントリにより示される。そして、制御部２３０は、無線通信部２１０により受信されるＵＬ許可に従って、無線通信部２１０にアップリンク信号を送信させる。アップリンク送信のタイミングは、設定されているダイナミックＴＤＤ用コンフィギュレーションのいずれのアップリンクサブフレームにも該当する可能性がある。即ち、使用される可能性の無いアップリンクサブフレームが存在しないため、無線リソースの利用効率の低下は回避される。
【００９１】
（４）記憶部
記憶部２４０は、制御部２３０がダイナミックＴＤＤ端末２００による無線通信を制御するために使用するデータ及びプログラムを記憶する記憶媒体である。例えば、記憶部２４０は、制御部２３０により設定されたダイナミックＴＤＤ用コンフィギュレーションを記憶する。また、記憶部２４０は、ダウンリンク送信のタイミングとＡＣＫ／ＮＡＣＫのタイミングとを関連付ける第１のテーブル、及びアップリンク送信のタイミングとＵＬ許可のタイミングとを関連付ける第２のテーブルを予め記憶する。また、記憶部２４０は、制御部２３０により設定されるＡＣＫ／ＮＡＣＫのタイミング及びＵＬ許可のタイミングを、コンフィギュレーション候補の番号を指定する形で記憶する。
【００９２】
（５）デュアルモードのサポート
なお、ダイナミックＴＤＤ端末２００は、レガシー端末１０４と同様にレガシー用コンフィギュレーションに従ってリンク方向を設定する第１の動作モード、及びより短い周期でダイナミックＴＤＤコンフィギュレーションに従ってリンク方向を設定する第２の動作モードの双方で動作可能であってもよい。例えば、ダイナミックＴＤＤ端末２００は、無線通信ネットワークへの初期同期の段階において第１の動作モードで動作し、その後、ＤＣメッセージの受信に応じて第２の動作モードへ遷移してもよい。かかる構成によれば、ダイナミックＴＤＤ端末２００は、既存の手続に従ってが基地局１００との間で確実に同期を確立した後、基地局１００との間で様々なチャネル上で柔軟にシグナリングを交換し、第２の動作モードのための設定を取得することができる。また、ダイナミックＴＤＤ端末２００は、アイドルモード（RRC_Idle）において低い頻度でＳＩメッセージを受信（即ち、第１の動作モード）し、アクティブモード（RRC_Connected）において高い頻度でＤＣメッセージを受信（即ち、第２の動作モード）してもよい。それにより、アイドルモードでの消費電力が上昇することを回避することができる。
【００９３】
＜３．処理の流れの例＞
図１４Ａ及び図１４Ｂは、本実施形態に係る通信制御システム１において実行され得る処理の流れの一例を示すシーケンス図である。なお、ここで説明する処理には、基地局１００、レガシー端末１０４及びダイナミックＴＤＤ端末２００が関与する。ダイナミックＴＤＤ端末２００は、一例として、上述したデュアルモードをサポートする端末であるものとする。
【００９４】
図１４Ａを参照すると、まず、基地局１００は、シグナリング周期Ｃ１で周期的にＳＩメッセージをブロードキャストする（ステップＳ１００）。ＳＩメッセージは、レガシー用コンフィギュレーションをシグナリングするメッセージであり、例えば、Ｃｏｎｆｉｇｕｒａｔｉｏｎ０を指定する。レガシー端末１０４は、ＳＩメッセージを受信し、レガシー用コンフィギュレーションとしてＣｏｎｆｉｇｕｒａｔｉｏｎ０を設定する。ダイナミックＴＤＤ端末２００もまた、ＳＩメッセージを受信し、レガシー用コンフィギュレーションに従って、基地局１００との間の初期同期を確立する（ステップＳ１０４）。
【００９５】
基地局１００は、端末におけるバッファ待機中のアップリンクトラフィック量及びコアネットワーク内のバッファ待機中のダウンリンクトラフィック量のデータを収集し、ＵＬ−ＤＬトラフィック比をモニタリングする（ステップＳ１０８）。そして、基地局１００は、ＵＬ−ＤＬトラフィック比（の最新の値又は予測される将来の値）に応じて、ダイナミックＴＤＤ用コンフィギュレーションを設定する（ステップＳ１１２）。
【００９６】
基地局１００との間の初期同期を確立したダイナミックＴＤＤ端末２００は、アップリンクサブフレームにおいて、基地局１００へ接続要求を送信する（ステップＳ１１６）。基地局１００は、ダイナミックＴＤＤ端末２００からの接続を承認する（ステップＳ１２０）。
【００９７】
次に、基地局１００は、ダイナミックＴＤＤ端末２００へケイパビリティ問合せを送信する（ステップＳ１２４）。当該問合せの受信に応じて、ダイナミックＴＤＤ端末２００は、自らがダイナミックＴＤＤ（シグナリングＳＩＧ１、ＳＩＧ２及びＳＩＧ３の受信）をサポートしていることを基地局１００へ応答する（ステップＳ１２８）。
【００９８】
次に、基地局１００は、ＤＣメッセージをダイナミックＴＤＤ端末２００へ送信する（ステップＳ１３２）。ＤＣメッセージは、ダイナミックＴＤＤ用コンフィギュレーションをシグナリングするメッセージであり、ステップＳ１１２において基地局１００により設定されたコンフィギュレーション番号を示す。ここでは、ＤＣメッセージは、シグナリングＳＩＧ１に加えて、シグナリングＳＩＧ２及びＳＩＧ３も兼ねるものとする。即ち、ＤＣメッセージは、ダウンリンク送信に対するＡＣＫ／ＮＡＣＫのタイミングのためのコンフィギュレーション番号、及びＵＬ許可のタイミングのためのコンフィギュレーション番号をも指定する。図１４Ａの例では、ダイナミックＴＤＤ用コンフィギュレーションはＣｏｎｆｉｇｕｒａｔｉｏｎ２、ＡＣＫ／ＮＡＣＫのタイミングはＣｏｎｆｉｇｕｒａｔｉｏｎ５、ＵＬ許可のタイミングはＣｏｎｆｉｇｕｒａｔｉｏｎ０である。
【００９９】
ダイナミックＴＤＤ端末２００は、ステップＳ１３２において基地局１００からＤＣメッセージを受信すると、応答を返し（ステップＳ１３６）、ダイナミックＴＤＤ用コンフィギュレーションであるＣｏｎｆｉｇｕｒａｔｉｏｎ２にリンク方向の設定を変更する（ステップＳ１４０）。また、ダイナミックＴＤＤ端末２００は、ＡＣＫ／ＮＡＣＫのタイミングとしてＣｏｎｆｉｇｕｒａｔｉｏｎ５、ＵＬ許可のタイミングとしてＣｏｎｆｉｇｕｒａｔｉｏｎ０をそれぞれ記憶する。
【０１００】
その後、ダイナミックＴＤＤ端末２００のためのトラフィックが発生すると、基地局１００は、トラフィックをスケジューリングする（ステップＳ１４４）。発生したトラフィックがダウンリンクトラフィックであれば、基地局１００は、ダウンリンク割当てに従って、ダウンリンクトラフィックをダイナミックＴＤＤ端末２００へ送信する（ステップＳ１４８）。ダイナミックＴＤＤ端末２００は、ダウンリンクトラフィックに対するＡＣＫ／ＮＡＣＫの送信タイミングを、ステップＳ１４０において基地局１００からシグナリングされたコンフィギュレーション番号（Ｃｏｎｆｉｇｕｒａｔｉｏｎ５）に基づいて決定し、決定したタイミングでＡＣＫ／ＮＡＣＫを基地局１００へ送信する（ステップＳ１５２）。
【０１０１】
一方、発生したトラフィックがアップリンクトラフィックであれば、基地局１００は、ステップＳ１４０においてダイナミックＴＤＤ端末２００へシグナリングしたコンフィギュレーション番号（Ｃｏｎｆｉｇｕｒａｔｉｏｎ０）に基づいて、アップリンク送信のタイミングからＵＬ許可の送信タイミングを決定し、決定したタイミングでＵＬ許可をダイナミックＴＤＤ端末２００へ送信する（ステップＳ１４８）。ダイナミックＴＤＤ端末２００は、ＵＬ許可に対するアップリンク送信のタイミングを、基地局１００からシグナリングされたコンフィギュレーション番号に基づいて決定し、決定したタイミングでアップリンクトラフィックを基地局１００へ送信する（ステップＳ１５２）。
【０１０２】
シーケンスは図１４Ｂへ移り、その後、基地局１００により、ＵＬ−ＤＬトラフィック比の変動が検出されたものとする（ステップＳ１６０）。すると、基地局１００は、ＵＬ−ＤＬトラフィック比に応じて、ダイナミックＴＤＤ用コンフィギュレーションの設定を更新することを決定する。そして、基地局１００は、ＤＣメッセージをダイナミックＴＤＤ端末２００へ送信する（ステップＳ１６４）。ダイナミックＴＤＤ端末２００は、応答を返す（ステップＳ１６８）。ここで送信されるＤＣメッセージは、将来の更新後のダイナミックＴＤＤ用コンフィギュレーション（図１４Ｂの例では、Ｃｏｎｆｉｇｕｒａｔｉｏｎ３）をシグナリングするメッセージである。
【０１０３】
さらに、ダイナミックＴＤＤ用コンフィギュレーションが更新される前に、ダイナミックＴＤＤ端末２００のためのトラフィックが再び発生したものとする。すると、基地局１００は、トラフィックをスケジューリングする（ステップＳ１７２）。そして、基地局１００は、ダウンリンクトラフィック又はＵＬ許可をダイナミックＴＤＤ端末２００へ送信する（ステップＳ１７６）。
【０１０４】
その後、基地局１００は、ダイナミックＴＤＤ用コンフィギュレーションの設定を、ステップＳ１６４においてシグナリングしたコンフィギュレーションに更新する（ステップＳ１８０）。同時に、ダイナミックＴＤＤ端末２００もまた、ダイナミックＴＤＤ用コンフィギュレーションの設定を、基地局１００からシグナリングされたコンフィギュレーションに変更する（ステップＳ１８４）。しかし、ステップＳ１７６で受信されたダウンリンクトラフィック又はＵＬ許可に関連付けられるＡＣＫ／ＮＡＣＫ又はアップリンク送信のタイミングは、ダイナミックＴＤＤ用コンフィギュレーションの更新に影響されない。
【０１０５】
ダイナミックＴＤＤ端末２００は、ＡＣＫ／ＮＡＣＫ又はアップリンクトラフィックの送信タイミングを、ステップＳ１４０において基地局１００からシグナリングされたコンフィギュレーション番号に基づいて決定し、決定したタイミングでＡＣＫ／ＮＡＣＫ又はアップリンクトラフィックを基地局１００へ送信する（ステップＳ１８８）。
【０１０６】
＜４．まとめ＞
ここまで、図１〜図１４Ｂを用いて、本開示に係る技術の実施形態について詳細に説明した。上述した実施形態によれば、時分割複信（ＴＤＤ）方式での無線通信のために設定されるリンク方向コンフィギュレーションに依存することなく、第１のリンク方向のデータ送信に関連付けられる第２のリンク方向の制御シグナリングのタイミングが設定される。従って、リンク方向コンフィギュレーションが更新される度にリンク方向の衝突を判定するという負荷の高い処理の必要性を排除しつつ、リンク方向の衝突に起因するスループットの低下を防ぐことができる。
【０１０７】
また、上述した実施形態によれば、ＵＬ−ＤＬトラフィック比に応じて設定されるリンク方向コンフィギュレーションとは別に、上記制御シグナリングのタイミングが端末装置へシグナリングされる。従って、端末装置は、リンク方向コンフィギュレーションの更新に関わらず、互いに関連付けられるデータ送信及び制御シグナリングのタイミングを適切に把握し及び予期することができる。
【０１０８】
また、上述した実施形態によれば、上記制御シグナリングのタイミングは、リンク方向コンフィギュレーションのための複数のコンフィギュレーション候補のうちの１つを指定する形でシグナリングされる。従って、シグナリングされるビット数は、コンフィギュレーション番号のための数ビットのみでよい。そのため、上述した新たなシグナリングが採用されたとしても、シグナリングオーバヘッドの増加はわずかである。また、コンフィギュレーション候補のセットを定義するデータは、レガシー端末も保持するデータである。そのため、追加的なデータの定義を導入することなく、既存のデータを再利用して上述した仕組みを容易に実現することができる。
【０１０９】
また、上述した実施形態によれば、上記制御シグナリングのタイミングは、端末装置の無線通信ネットワークへの接続の際に当該端末装置へシグナリングされ得る。従って、無線通信ネットワークに固有のコンフィギュレーション候補のセットが使用される場合であっても、スループットの低下を回避するために最適な制御シグナリングのタイミングを、端末装置へ適切に通知することができる。
【０１１０】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭ（Random  Access  Memory）に読み込まれ、ＣＰＵ（Central  Processing  Unit）などのプロセッサにより実行される。
【０１１１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１２】
なお、以下のような構成も本開示の技術的範囲に属する。
（１）
無線通信ネットワーク内で時分割複信（ＴＤＤ）方式に従って端末装置により行われる無線通信を制御する通信制御装置であって、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御装置。
（２）
前記通信制御装置は、
前記設定部により設定される前記リンク方向コンフィギュレーションと前記タイミングとを前記端末装置へシグナリングするシグナリング部、
をさらに備える、前記（１）に記載の通信制御装置。
（３）
前記設定部は、複数のコンフィギュレーション候補から選択される前記リンク方向コンフィギュレーションを前記無線通信のために設定し、
前記シグナリング部は、前記複数のコンフィギュレーション候補のうちの１つを指定することにより、前記タイミングをシグナリングする、
前記（２）に記載の通信制御装置。
（４）
前記第１のリンク方向はダウンリンクであり、前記第２のリンク方向はアップリンクであり、
前記制御シグナリングは、ダウンリンク送信への応答として前記端末装置から送信されるＡＣＫ／ＮＡＣＫである、
前記（３）に記載の通信制御装置。
（５）
前記第１のリンク方向はアップリンクであり、前記第２のリンク方向はダウンリンクであり、
前記制御シグナリングは、アップリンク送信に先立って前記端末装置へ送信されるアップリンク許可である、
前記（３）に記載の通信制御装置。
（６）
前記シグナリング部は、前記複数のコンフィギュレーション候補のうちダウンリンク比率のより高い候補を指定する、前記（４）に記載の通信制御装置。
（７）
前記シグナリング部は、前記複数のコンフィギュレーション候補のうちアップリンク比率のより高い候補を指定する、前記（５）に記載の通信制御装置。
（８）
前記通信制御装置は、コンフィギュレーション候補ごとに前記データ送信のタイミングと前記制御シグナリングのタイミングとを関連付けるテーブルを記憶する記憶部、をさらに備え、
前記データ送信のタイミング及び前記制御シグナリングのタイミングの一方は、前記テーブル内の指定されたコンフィギュレーション候補についてのエントリを参照することにより、他方のタイミングに基づいて決定される、
前記（６）又は前記（７）に記載の通信制御装置。
（９）
前記設定部は、前記無線通信ネットワーク内のアップリンクトラフィックとダウンリンクトラフィックとの間の比率に応じて、設定すべき前記リンク方向コンフィギュレーションを前記複数のコンフィギュレーション候補から選択する、前記（３）〜（８）のいずれか１項に記載の通信制御装置。
（１０）
前記複数のコンフィギュレーション候補は、前記無線通信ネットワークに固有であり、
前記シグナリング部は、前記端末装置の前記無線通信ネットワークへの接続の際に、前記タイミングを前記端末装置へシグナリングする、
前記（３）〜（９）のいずれか１項に記載の通信制御装置。
（１１）
前記設定部は、第１の端末グループのために前記リンク方向コンフィギュレーションを設定し、第２の端末グループのために別のリンク方向コンフィギュレーションを設定し、
前記シグナリング部は、前記第２の端末グループに属する端末装置へのシグナリング周期よりも短い周期で、前記第１の端末グループに属する端末装置へ前記リンク方向コンフィギュレーションをシグナリングする、
前記（２）〜（１０）のいずれか１項に記載の通信制御装置。
（１２）
前記通信制御装置は、基地局である、前記（１）〜（１１）のいずれか１項に記載の通信制御装置。
（１３）
前記通信制御装置は、基地局を介して前記端末装置と通信する制御ノードである、前記（１）〜（１１）のいずれか１項に記載の通信制御装置。
（１４）
無線通信ネットワーク内で時分割複信（ＴＤＤ）方式に従って端末装置により行われる無線通信を制御する通信制御方法であって、
複数のサブフレームを含むフレームの各々について、前記無線通信のためにサブフレーム単位のリンク方向を表すリンク方向コンフィギュレーションを設定することと、
設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定することと、
を含む通信制御方法。
（１５）
無線通信ネットワーク内で時分割複信（ＴＤＤ）方式に従って端末装置により行われる無線通信を制御する通信制御装置のコンピュータを、
複数のサブフレームを含むフレームの各々について、前記無線通信のためにサブフレーム単位のリンク方向を表すリンク方向コンフィギュレーションを設定する設定部として機能させるプログラムであって、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
プログラム。
（１６）
時分割複信（ＴＤＤ）方式で基地局と通信する無線通信部と、
前記基地局からの第１のシグナリングにより示されるリンク方向コンフィギュレーションに従い、複数のサブフレームを含むフレームの各々について、サブフレーム単位のリンク方向を設定する制御部と、
を備え、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
端末装置。
（１７）
時分割複信（ＴＤＤ）方式で基地局と通信する無線通信部を備える端末装置により実行される無線通信方法であって、
前記基地局からの第１のシグナリングにより示されるリンク方向コンフィギュレーションに従い、複数のサブフレームを含むフレームの各々について、サブフレーム単位のリンク方向を設定することと、
第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定することと、
を含む無線通信方法。
（１８）
時分割複信（ＴＤＤ）方式で基地局と通信する無線通信部を備える端末装置のコンピュータを、
前記基地局からの第１のシグナリングにより示されるリンク方向コンフィギュレーションに従い、複数のサブフレームを含むフレームの各々について、サブフレーム単位のリンク方向を設定する制御部、
として機能させるプログラムであって、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
プログラム。
（１９）
時分割複信（ＴＤＤ）方式で基地局と通信する端末装置と、前記端末装置により行われる無線通信を制御する通信制御装置と、を含む通信制御システムであって、
前記通信制御装置は、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御システム。
【符号の説明】
【０１１３】
１        通信制御システム
１００    通信制御装置
１４０    設定部
１４２    記憶部
１５０    シグナリング部
１０４    端末装置（レガシー端末）
２００    端末装置（ダイナミックＴＤＤ端末）
２１０    無線通信部
２３０    制御部
【図１】
2014069105.tif 000005
【図２】
2014069105.tif 000006
【図３Ａ】
2014069105.tif 000007
【図３Ｂ】
2014069105.tif 000008
【図４】
2014069105.tif 000009
【図５】
2014069105.tif 000010
【図６】
2014069105.tif 000011
【図７Ａ】
2014069105.tif 000012
【図７Ｂ】
2014069105.tif 000013
【図８】
2014069105.tif 000014
【図９Ａ】
2014069105.tif 000015
【図９Ｂ】
2014069105.tif 000016
【図９Ｃ】
2014069105.tif 000017
【図１０Ａ】
2014069105.tif 000018
【図１０Ｂ】
2014069105.tif 000019
【図１１Ａ】
2014069105.tif 000020
【図１１Ｂ】
2014069105.tif 000021
【図１２】
2014069105.tif 000022
【図１３】
2014069105.tif 000023
【図１４Ａ】
2014069105.tif 000024
【図１４Ｂ】
2014069105.tif 000025
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
無線通信ネットワーク内で時分割複信（ＴＤＤ）方式に従って端末装置により行われる無線通信を制御する通信制御装置であって、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御装置。
【請求項２】
前記通信制御装置は、
前記設定部により設定される前記リンク方向コンフィギュレーションと前記タイミングとを前記端末装置へシグナリングするシグナリング部、
をさらに備える、請求項１に記載の通信制御装置。
【請求項３】
前記設定部は、複数のコンフィギュレーション候補から選択される前記リンク方向コンフィギュレーションを前記無線通信のために設定し、
前記シグナリング部は、前記複数のコンフィギュレーション候補のうちの１つを指定することにより、前記タイミングをシグナリングする、
請求項２に記載の通信制御装置。
【請求項４】
前記第１のリンク方向はダウンリンクであり、前記第２のリンク方向はアップリンクであり、
前記制御シグナリングは、ダウンリンク送信への応答として前記端末装置から送信されるＡＣＫ／ＮＡＣＫである、
請求項２に記載の通信制御装置。
【請求項５】
前記第１のリンク方向はアップリンクであり、前記第２のリンク方向はダウンリンクであり、
前記制御シグナリングは、アップリンク送信に先立って前記端末装置へ送信されるアップリンク許可である、
請求項３に記載の通信制御装置。
【請求項６】
前記設定部は、複数のコンフィギュレーション候補から選択される前記リンク方向コンフィギュレーションを前記無線通信のために設定し、
前記シグナリング部は、前記複数のコンフィギュレーション候補のうちの１つを指定することにより、前記タイミングをシグナリングし、
前記シグナリング部は、前記複数のコンフィギュレーション候補のうちダウンリンク比率のより高い候補を指定する、
請求項４に記載の通信制御装置。
【請求項７】
前記シグナリング部は、前記複数のコンフィギュレーション候補のうちアップリンク比率のより高い候補を指定する、請求項５に記載の通信制御装置。
【請求項８】
前記通信制御装置は、コンフィギュレーション候補ごとに前記データ送信のタイミングと前記制御シグナリングのタイミングとを関連付けるテーブルを記憶する記憶部、をさらに備え、
前記データ送信のタイミング及び前記制御シグナリングのタイミングの一方は、前記テーブル内の指定されたコンフィギュレーション候補についてのエントリを参照することにより、他方のタイミングに基づいて決定される、
請求項６に記載の通信制御装置。
【請求項９】
前記設定部は、前記無線通信ネットワーク内のアップリンクトラフィックとダウンリンクトラフィックとの間の比率に応じて、設定すべき前記リンク方向コンフィギュレーションを前記複数のコンフィギュレーション候補から選択する、請求項３に記載の通信制御装置。
【請求項１０】
前記複数のコンフィギュレーション候補は、前記無線通信ネットワークに固有であり、
前記シグナリング部は、前記端末装置の前記無線通信ネットワークへの接続の際に、前記タイミングを前記端末装置へシグナリングする、
請求項３に記載の通信制御装置。
【請求項１１】
前記設定部は、第１の端末グループのために前記リンク方向コンフィギュレーションを設定し、第２の端末グループのために別のリンク方向コンフィギュレーションを設定し、
前記シグナリング部は、前記第２の端末グループに属する端末装置へのシグナリング周期よりも短い周期で、前記第１の端末グループに属する端末装置へ前記リンク方向コンフィギュレーションをシグナリングする、
請求項２に記載の通信制御装置。
【請求項１２】
前記通信制御装置は、基地局である、請求項１に記載の通信制御装置。
【請求項１３】
前記通信制御装置は、基地局を介して前記端末装置と通信する制御ノードである、請求項１に記載の通信制御装置。
【請求項１４】
無線通信ネットワーク内で時分割複信（ＴＤＤ）方式に従って端末装置により行われる無線通信を制御する通信制御方法であって、
複数のサブフレームを含むフレームの各々について、前記無線通信のためにサブフレーム単位のリンク方向を表すリンク方向コンフィギュレーションを設定することと、
設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定することと、
を含む通信制御方法。
【請求項１５】
無線通信ネットワーク内で時分割複信（ＴＤＤ）方式に従って端末装置により行われる無線通信を制御する通信制御装置のコンピュータを、
複数のサブフレームを含むフレームの各々について、前記無線通信のためにサブフレーム単位のリンク方向を表すリンク方向コンフィギュレーションを設定する設定部として機能させるプログラムであって、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
プログラム。
【請求項１６】
時分割複信（ＴＤＤ）方式で基地局と通信する無線通信部と、
前記基地局からの第１のシグナリングにより示されるリンク方向コンフィギュレーションに従い、複数のサブフレームを含むフレームの各々について、サブフレーム単位のリンク方向を設定する制御部と、
を備え、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
端末装置。
【請求項１７】
時分割複信（ＴＤＤ）方式で基地局と通信する無線通信部を備える端末装置により実行される無線通信方法であって、
前記基地局からの第１のシグナリングにより示されるリンク方向コンフィギュレーションに従い、複数のサブフレームを含むフレームの各々について、サブフレーム単位のリンク方向を設定することと、
第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定することと、
を含む無線通信方法。
【請求項１８】
時分割複信（ＴＤＤ）方式で基地局と通信する無線通信部を備える端末装置のコンピュータを、
前記基地局からの第１のシグナリングにより示されるリンク方向コンフィギュレーションに従い、複数のサブフレームを含むフレームの各々について、サブフレーム単位のリンク方向を設定する制御部、
として機能させるプログラムであって、
前記制御部は、第１のリンク方向のデータ送信のタイミングと、当該データ送信に関連付けられる前記第１のリンク方向とは逆の第２のリンク方向の制御シグナリングのタイミングとの間のオフセットを、前記基地局からの第２のシグナリングに基づいて設定する、
プログラム。
【請求項１９】
時分割複信（ＴＤＤ）方式で基地局と通信する端末装置と、前記端末装置により行われる無線通信を制御する通信制御装置と、を含む通信制御システムであって、
前記通信制御装置は、
複数のサブフレームを含むフレームの各々について、前記無線通信のためにサブフレーム単位のリンク方向を表すリンク方向コンフィギュレーションを設定する設定部、
を備え、
前記設定部は、設定された前記リンク方向コンフィギュレーションに依存することなく、前記無線通信において第１のリンク方向のデータ送信に関連付けられる、前記第１のリンク方向とは逆の第２のリンク方向の制御シグナリングのタイミングを設定する、
通信制御システム。
【国際調査報告】
2014069105.tif 000026
2014069105.tif 000027
2014069105.tif 000028
2014069105.tif 000029